(57)【要約】  本開示の通信装置は、動作時、ＷＵＲ（ウェイクアップ無線）モードセットアップ（WUR Mode Setup）フレームを含むデータフィールドを有する送信信号を生成する信号生成器であって、ＷＵＲモードセットアップ（WUR Mode Setup）フレームに含まれるＷＵＲモード（WUR Mode）要素のフィールドが、本通信装置を備えたステーションにＡＰ（アクセスポイント）によって割り当てられるグループＩＤ（識別子）に関する情報、を含む、信号生成器と、動作時、生成された送信信号を送信する送信機と、を備えている。
2021520118.tif 000002
【特許請求の範囲】
【請求項１】
ステーションに備えられた通信装置であって、
動作時、ＷＵＲ（ウェイクアップ無線）モードセットアップ（Mode Setup）フレームを含むデータフィールドを有する送信信号を生成する信号生成器と、
動作時、前記生成された送信信号を送信する送信機と、
を備え、
前記ＷＵＲモードセットアップフレームに含まれるＷＵＲモード（WUR Mode）要素のフィールドが、ＡＰ（アクセスポイント）によって前記ステーションに割り当てられるグループＩＤ（識別子）に関する情報、を含む、
通信装置。
【請求項２】
前記フィールドが、前記ＡＰによって提供することのできるグループＩＤの数に等しいサイズのグループＩＤビットマップを含むサブフィールド、を有し、前記グループＩＤビットマップのビットＹ（Ｙ＝０，１，．．．，Ｌ−１、かつＬは前記グループＩＤビットマップの前記サイズ）が１に設定されているとき、前記ＡＰによって前記ステーションに割り当てられる前記グループＩＤが、前記ＡＰによって提供することのできる最小グループＩＤとＹの合計に等しい、
請求項１に記載の通信装置。
【請求項３】
前記ＡＰによって提供することのできる前記最小グループＩＤが、前記フィールドに含まれる別のサブフィールドに示される、
請求項２に記載の通信装置。
【請求項４】
前記ＡＰによって提供することのできる前記最小グループＩＤが、前記ステーションによって直近に受信されたＷＵＲ動作（WUR Operation）要素に示される、
請求項２に記載の通信装置。
【請求項５】
前記フィールドが、前記通信装置を備えた前記ステーションが格納することのできるグループＩＤビットマップサイズ以下のサイズのグループＩＤビットマップを含む第１のサブフィールドを有し、前記グループＩＤビットマップのビットＹ（Ｙ＝０，１，．．．，Ｌ−１、かつＬは前記グループＩＤビットマップの前記サイズ）が１に設定されているとき、前記通信装置を備えた前記ステーションに前記ＡＰによって割り当てられる前記グループＩＤが、前記グループＩＤビットマップのビット０に対応するグループＩＤとＹとの合計に等しい、
請求項１に記載の通信装置。
【請求項６】
前記グループＩＤビットマップのビット０に対応する前記グループＩＤが、前記フィールドの第２のサブフィールドに示され、かつ、前記グループＩＤビットマップの中に示されるいずれのグループＩＤもグループＩＤの値範囲の外側ではないように、選択される、
請求項５に記載の通信装置。
【請求項７】
前記グループＩＤビットマップの前記サイズが、前記フィールドの第３のサブフィールドに示される、
請求項５に記載の通信装置。
【請求項８】
前記グループＩＤビットマップに示されない、前記通信装置を備えた前記ステーションに前記ＡＰによって割り当てられる前記グループＩＤが、前記フィールドの第４のサブフィールドに示される、
請求項５に記載の通信装置。
【請求項９】
前記フィールドが、前記通信装置を備えた前記ステーションが格納することのできるグループＩＤビットマップサイズ以下のサイズのグループＩＤビットマップを含む第１のサブフィールド、を有し、前記グループＩＤビットマップのビットＹ（Ｙ＝０，１，．．．，Ｌ−１、かつＬは前記グループＩＤビットマップの前記サイズ）が１に設定されているとき、前記グループＩＤビットマップのビット０に対応するグループＩＤとＹの合計が、前記ＡＰによって提供することのできる最大グループＩＤより大きい場合、前記ステーションに前記ＡＰによって割り当てられる前記グループＩＤが、前記グループＩＤビットマップのビット０に対応する前記グループＩＤとＹの合計に等しく、そうでない場合、前記ステーションに前記ＡＰによって割り当てられる前記グループＩＤが、前記グループＩＤビットマップのビット０に対応する前記グループＩＤとＹの合計から、前記ＡＰによって提供することのできるグループＩＤの数を減じた値に等しい、
請求項１に記載の通信装置。
【請求項１０】
前記グループＩＤビットマップのビット０に対応する前記グループＩＤが、前記フィールドの第２のサブフィールドに示される、
請求項９に記載の通信装置。
【請求項１１】
前記グループＩＤビットマップの前記サイズが、前記フィールドの第３のサブフィールドに示される、
請求項９に記載の通信装置。
【請求項１２】
前記グループＩＤビットマップに示されない、前記通信装置を備えた前記ステーションに前記ＡＰによって割り当てられる前記グループＩＤが、前記フィールドの第４のサブフィールドに示される、
請求項９に記載の通信装置。
【請求項１３】
前記ＡＰによって提供することのできる前記最大グループＩＤが、前記フィールドの第５のサブフィールドに示される、
請求項９に記載の通信装置。
【請求項１４】
前記ＡＰによって提供することのできる前記最大グループＩＤが、前記ステーションによって直近に受信されたＷＵＲ動作（WUR Operation）要素に示される、
請求項９に記載の通信装置。
【発明の詳細な説明】
【技術分野】
【０００１】
本開示は、通信装置および通信方法に関する。
【背景技術】
【０００２】
ＩＥＥＥ（米国電気電子学会：Institute of Electrical and Electronics Engineers）８０２．１１作業部会では、ＷＵＲ（ウェイクアップ無線）装置の動作を可能にする、ＰＨＹ（物理）層の仕様の定義と、ＭＡＣ（媒体アクセス制御）層の仕様の変更の定義が進められている。ＷＵＲ装置は、ＰＣＲ（主接続無線：Primary Connectivity Radio）装置（例えばＩＥＥＥ  ８０２．１１ａ／ｇ／ｎ／ａｃ／ａｘ無線装置）に伴って使用される（コンパニオン）無線装置である。ＷＵＲ装置は、ＷＵＲフレームを受信することのできるＷＵＲｘ（ウェイクアップ受信機：Wake Up Receiver）を備えている。無線通信機器に含まれるＰＣＲ装置は、その機器が関連付けられるアクセスポイント（ＡＰ）とのユーザデータの通信に使用される。一方で機器に含まれるＷＵＲ装置は、ユーザデータの通信には使用されない。ＷＵＲモードで動作している無線通信機器の場合、機器のＰＣＲ装置がドーズ状態にあるとき、機器のＷＵＲｘは、機器とアクセスポイント（ＡＰ）との間で交渉されるデューティサイクルスケジュールに従う。機器のＷＵＲｘがＷＵＲウェイクアップ（WUR Wake-up）フレームを受信すると、機器のＰＣＲ装置がアウェイク状態に遷移する。
【先行技術文献】
【非特許文献】
【０００３】
【非特許文献１】IEEE 802.11-17/0575r11, Specification Framework for TGba, March 2018
【発明の概要】
【発明が解決しようとする課題】
【０００４】
無線通信機器がどのようにＷＵＲモード動作を効率的に実行できるかに関する検討は途上である。
【課題を解決するための手段】
【０００５】
本開示の非限定的かつ例示的な一実施形態は、ＷＵＲモード動作を効率的に実行することを促進する。
【０００６】
一般的な一態様においては、本明細書に開示されている技術は、通信装置を提供し、本通信装置は、動作時、ＷＵＲモードセットアップ（WUR Mode Setup）フレームを含むデータフィールドを有する送信信号を生成する信号生成器であって、ＷＵＲモードセットアップ（WUR Mode Setup）フレームに含まれるＷＵＲモード（WUR Mode）要素のフィールドが、通信装置を備えたステーションにアクセスポイント（ＡＰ）によって割り当てられるグループＩＤ（識別子）に関する情報、を含む、信号生成器と、動作時、生成された送信信号を送信する送信機と、を備えている。
【０００７】
なお、一般的な実施形態または特定の実施形態は、システム、方法、集積回路、コンピュータプログラム、記憶媒体、またはこれらの任意の選択的な組合せ、として実施してよいことに留意されたい。
【０００８】
本開示に記載されている通信装置および通信方法を利用することによって、無線通信機器は、ＷＵＲモード動作を効率的に実行することができる。
【０００９】
開示されている実施形態のさらなる恩恵および利点は、本明細書および図面から明らかになるであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【図面の簡単な説明】
【００１０】
【図１】無線ネットワークの例を示した図である。
【図２】本開示に係る、ＷＵＲモード動作に関連するＭＡＣ手順の例を示した図である。
【図３Ａ】本開示に係る、ＷＵＲ能力（WUR Capabilities）要素のフォーマットの例を示した図である。
【図３Ｂ】本開示に係る、ＷＵＲ動作（WUR Operation）要素のフォーマットの例を示した図である。
【図４】本開示に係る、ＷＵＲ交渉手順の例を示した図である。
【図５】本開示に係る、ＷＵＲモードセットアップ（WUR Mode Setup）フレームまたはＷＵＲモードティアダウン（WUR Mode Teardown）フレームのフォーマットの例を示した図である。
【図６】本開示に係る、ＷＵＲモード（WUR Mode）要素のフォーマットの例を示した図である。
【図７】本開示に係る、ＷＵＲモード（WUR Mode）要素のアクションタイプ（Action Type）フィールドの定義の例を示した図である。
【図８Ａ】本開示に係る、ＷＵＲ  ＳＴＡによって送信されるＷＵＲモード（WUR Mode）要素のＷＵＲパラメータ（WUR Parameters）フィールドのフォーマットの例を示した図である。
【図８Ｂ】本開示に係る、アクセスポイント（ＡＰ）によって送信されるＷＵＲモード（WUR Mode）要素のＷＵＲパラメータ（WUR Parameters）フィールドのフォーマットの例を示した図である。
【図９】本開示に係る、ＷＵＲモード開始手順の例を示した図である。
【図１０】本開示に係る、ＷＵＲモード終了手順の例を示した図である。
【図１１】本開示に係る、ＷＵＲフレームのフォーマットの例を示した図である。
【図１２】本開示に係る、ＷＵＲフレームのタイプ（Type）フィールドの定義の例を示した図である。
【図１３】本開示に係る、ＷＵＲフレームのアドレス（Address）フィールドの定義の例を示した図である。
【図１４Ａ】本開示に係る、識別子の空間の例を示した図である。
【図１４Ｂ】本開示に係る、フレームフィルタリング手順の例を示した流れ図である。
【図１５】本開示の第１の実施形態に係る、グループＩＤリスト（Group ID List）フィールドのフォーマットの例を示した図である。
【図１６】本開示の第２の実施形態に係る、グループＩＤリスト（Group ID List）フィールドのフォーマットの例を示した図である。
【図１７】本開示の第３の実施形態に係る、グループＩＤリスト（Group ID List）フィールドのフォーマットの例を示した図である。
【図１８】本開示の第４の実施形態に係る、グループＩＤリスト（Group ID List）フィールドのフォーマットの例を示した図である。
【図１９】本開示の第５の実施形態に係る、グループＩＤリスト（Group ID List）フィールドのフォーマットの例を示した図である。
【図２０】本開示の第６の実施形態に係る、グループＩＤリスト（Group ID List）フィールドのフォーマットの例を示した図である。
【図２１Ａ】本開示に係る、第１のグループＩＤ更新手順の例を示した流れ図である。
【図２１Ｂ】本開示に係る、第２のグループＩＤ更新手順の例を示した流れ図である。
【図２２】本開示に係る、グループＩＤ更新（Group ID Update）フレームのフォーマットの例を示した図である。
【図２３】本開示に係る、ＷＵＲ  ＰＰＤＵ（物理層プロトコルデータユニット：Physical Layer Protocol Data Unit）のフォーマットの例を示した図である。
【図２４Ａ】本開示に係る、ＷＵＲの例の簡単なブロック図である。
【図２４Ｂ】本開示に係る、ＷＵＲの例の詳細なブロック図である。
【図２５Ａ】本開示に係る、ＰＣＲの例の簡単なブロック図である。
【図２５Ｂ】本開示に係る、ＰＣＲの例の詳細なブロック図である。
【発明を実施するための形態】
【００１１】
本開示は、以下に説明する図および実施形態を利用して深く理解することができる。本明細書に記載されている実施形態は、本質的に単なる例示であり、本開示の可能な用途および使用法のいくつかを説明するために用いられており、本明細書に明示的に記載されていない代替の実施形態に関して本開示を制限するようには解釈されないものとする。
【００１２】
あらゆる無線通信システムにおいて、多種多様な装置は無線ネットワークの一部であり、各装置は、トラフィックのニーズ、装置の能力、電源のタイプなどに関して異なる。いくつかの種類の装置は、帯域幅要件が少なめで、ＱｏＳ（サービス品質）要件の厳しさも低いが、電力消費量に関して比較的重視されることがある（例：携帯電話）。別の種類の装置は、帯域幅要件が少なく、さらにデューティサイクルも非常に小さいが、バッテリが極めて小型である、あるいは極めて長寿命が期待される理由で、電力消費量の影響を大きく受けることがある（例えばリモートセンシング用のセンサー）。
【００１３】
多くの無線通信システムには、１つまたは複数の中央コントローラが存在し、無線ネットワークのカバレッジエリア、無線周波数チャネル、装置の許可ポリシー（admission policy）、隣接する別の無線ネットワークとの調整などを決定し、通常ではバックエンドインフラストラクチャネットワークへのゲートウェイの役割も果たす。中央コントローラの例は、セルラー無線ネットワークにおける基地局またはｅＮＢ、あるいはＷＬＡＮ（無線ローカルエリアネットワーク：Wireless Local Area Networks）におけるアクセスポイント（ＡＰ）である。
【００１４】
本開示に記載されている技術は、多くの無線通信システムに適用することができるが、本開示における以下の説明は、実例を示す目的で、ＩＥＥＥ  ８０２．１１ベースのＷＬＡＮシステムおよび関連する専門用語の観点から記載してある。このことは、ＷＬＡＮ以外の無線通信システムに関して本開示を制限するようには解釈されないものとする。ＩＥＥＥ  ８０２．１１ベースのＷＬＡＮでは、ネットワークの大部分がインフラストラクチャモードで動作し、すなわちネットワークにおけるトラフィックのすべてまたはほとんどがアクセスポイント（ＡＰ）を経由する必要がある。したがって、ＷＬＡＮに加わることを望むＳＴＡ（ステーション）は、最初にアソシエーション（association）および認証と呼ばれるプロセスを通じて、ネットワークメンバーシップをＡＰと交渉しなければならない。
【００１５】
図１は、ＡＰ１１０と、ＡＰ１１０に関連付けられる複数のＳＴＡとを含む無線ネットワークの例１００を示している。複数のＳＴＡは、ＡＰ１１０のＢＳＳ（基本サービスセット：Basic Service Set）を形成している。ＡＰ１１０は、ＰＣＲ装置（以下では単に「ＰＣＲ」と称する）１１２を含む。ＳＴＡ１３０は、より小さい帯域幅要件と、さほど厳しくないＱｏＳ要件を有してよいが電力消費量に関しては比較的重視される種類の機器を表している。ＳＴＡ１４０は、小さい帯域幅要件を有してよいが電力消費量の影響が大きい別の種類の機器を表している。エネルギ効率を最大にする目的で、ＳＴＡ１３０は、ＰＣＲ１３２に加えてＷＵＲ装置１３４（以下では単に「ＷＵＲ」と称する）を装備しており、ＳＴＡ１４０は、ＰＣＲ１４２に加えてＷＵＲ１４４を装備している。以下ではＳＴＡ１３０およびＳＴＡ１４０のいずれも、ＷＵＲ  ＳＴＡと称する。
【００１６】
本開示によれば、ＷＵＲ  ＳＴＡのＰＣＲは、２つの電力管理モード、すなわちアクティブモードおよびＰＳ（電力節約）モードのいずれかで動作することができる。ＰＳ（電力節約）モードで動作しているＷＵＲ  ＳＴＡのＰＣＲの場合、ＤＬ（ダウンリンク）トラフィックを受信できる、またはＵＬ（アップリンク）トラフィックを送信できるときには、ＰＣＲはアウェイク状態にある。ＤＬ（ダウンリンク）トラフィックを受信できない、またはＵＬ（アップリンク）トラフィックを送信できないときには、ＰＣＲはドーズ状態にある。アクティブモードで動作しているＷＵＲ  ＳＴＡのＰＣＲの場合、ＰＣＲは常にアウェイク状態にある。
【００１７】
本開示によれば、ＷＵＲ  ＳＴＡのＷＵＲは、ＷＵＲフレームを受信することのできるＷＵＲｘを備えている。ＷＵＲ  ＳＴＡのＷＵＲｘは、２つの状態、すなわちＷＵＲｘアウェイク（Ａｗａｋｅ）またはＷＵＲｘドーズ（Ｄｏｚｅ）、のいずれかにあることができる。ＷＵＲ  ＳＴＡのＷＵＲｘは、ＷＵＲフレームを受信できるときにはＷＵＲｘアウェイク状態にある。ＷＵＲ  ＳＴＡのＷＵＲｘは、ＷＵＲフレームを受信できないときにはＷＵＲｘドーズ状態にある。
【００１８】
本開示によれば、ＷＵＲ  ＳＴＡは、ＷＵＲ  Ｍｏｄｅ  Ｓｕｓｐｅｎｄ（ＷＵＲモードサスペンド）またはＷＵＲ  Ｍｏｄｅ（ＷＵＲモード）で動作することができる。ＷＵＲ  ＳＴＡがＷＵＲ  Ｍｏｄｅ（ＷＵＲモード）で動作しているときには、ＷＵＲ  ＳＴＡのＷＵＲｘは、ＷＵＲ  ＳＴＡのＰＣＲがドーズ状態にある場合、ＡＰ１１０とＷＵＲ  ＳＴＡとの間で交渉されたＷＵＲデューティサイクルスケジュールのオン期間の間、ＷＵＲｘアウェイク状態にある。ＷＵＲ  ＳＴＡが自身のＰＣＲを使用してＡＰ１１０とのフレーム交換を正常に完了した後（これによってＡＰ１１０は、ＷＵＲ  ＳＴＡのＰＣＲがアウェイク状態であることを認識する）、ＷＵＲｘはＷＵＲｘドーズ状態にあることができる。ＷＵＲ  ＳＴＡがＷＵＲ  Ｍｏｄｅ  Ｓｕｓｐｅｎｄ（ＷＵＲモードサスペンド）で動作しているときには、ＷＵＲｘはＷＵＲｘドーズ状態にあることができる。ＡＰ１１０とＷＵＲ  ＳＴＡとの間で交渉されたＷＵＲパラメータは、ＷＵＲ  ＳＴＡおよびＡＰ１１０によって維持される。
【００１９】
図２は、本開示に係る、ＷＵＲ  ＳＴＡおよびＡＰ１１０によって実行される、ＷＵＲモード動作に関連するＭＡＣ手順の例を示している。ＷＵＲ  ＳＴＡがＡＰ１１０に関連付けられる前には、ＷＵＲ  ＳＴＡのＰＣＲはアクティブモードにある。ＳＴＡは、同期手順２１０を開始し、パッシブスキャニングまたはアクティブスキャニングによってＡＰ１１０との同期を獲得する。同期手順２１０においては、アクティブスキャニングが実行される場合、ＳＴＡは自身のＰＣＲを介してプローブ要求（Probe Request）フレームをＡＰ１１０に送る。プローブ要求（Probe Request）フレームは、ＳＴＡのＷＵＲ能力をアドバタイズするＷＵＲ能力（WUR Capabilities）要素（図３Ａを参照）を含む。ＡＰ１１０は、プローブ応答（Probe Response）フレームで応える。プローブ応答（Probe Response）フレームは、ＡＰ１１０のＷＵＲ能力をアドバタイズするＷＵＲ能力（WUR Capabilities）要素と、すべてのＷＵＲ  ＳＴＡに共通であるＷＵＲパラメータをアナウンスするＷＵＲ動作（WUR Operation）要素（図３Ｂを参照）とを含む。パッシブスキャニングが実行される場合には、ＳＴＡは自身のＰＣＲを介してＡＰ１１０からビーコンフレームを受信する。ビーコンフレームは、ＡＰ１１０のＷＵＲ能力をアドバタイズするＷＵＲ能力（WUR Capabilities）要素と、すべてのＷＵＲ  ＳＴＡに共通であるＷＵＲパラメータをアナウンスするＷＵＲ動作（WUR Operation）要素とを含む。プローブ要求（Probe Request）フレーム、プローブ応答（Probe Response）フレーム、およびビーコン（Beacon）フレームのフォーマットは、非特許文献１に定義されている。
【００２０】
図３Ａは、本開示に係る、ＷＵＲ能力（WUR Capabilities）要素３００のフォーマットの例を示している。ＷＵＲ能力（WUR Capabilities）要素３００は、この要素３００を送信するＷＵＲ  ＳＴＡまたはＡＰ１１０のＷＵＲ能力を示し、サポート帯域（Supported Bands）フィールド３０２と、ＰＣＲ遷移遅延（PCR Transition Delay）フィールド３０４と、非ゼロ長フレーム本体サポート（Nonzero Length Frame Body Support）フィールド３０６と、サポートグループＩＤ（Supported Group IDs）フィールド３０８とを含む。サポート帯域（Supported Bands）フィールド３０２は、ＷＵＲモード動作用にサポートされる帯域を示す。ＰＣＲ遷移遅延（PCR Transition Delay）フィールド３０４は、要素３００を送信するＷＵＲ  ＳＴＡのＰＣＲが、ＷＵＲウェイクアップ（WUR Wake-up）フレームを受信した後にドーズ状態からアウェイク状態に遷移するまでの遅延を示す。非ゼロ長フレーム本体サポート（Nonzero Length Frame Body Support）フィールド３０６は、ＷＵＲフレーム（図１１を参照）の非ゼロ長フレーム本体がサポートされるかを示す。サポートグループＩＤ（Supported Group IDs）フィールド３０８は、要素３００を送信するＷＵＲ  ＳＴＡが格納することのできるグループＩＤビットマップのサイズを示す。ＷＵＲ  ＳＴＡが格納することのできるグループＩＤビットマップのサイズ（すなわちグループＩＤビットマップ内のビット数）は、ＡＰ１１０によって提供することのできるグループＩＤの数以下である。例えば、ＡＰ１１０によって６４個のグループＩＤを提供することができる場合、ＷＵＲ  ＳＴＡが格納することのできるグループＩＤビットマップのサイズは、８ビット、１６ビット、３２ビット、または６４ビットとすることができる。この場合、サポートグループＩＤ（Supported Group IDs）フィールド３０８は、３ビットのサイズを有することができる。ＷＵＲ  ＳＴＡが、グループＩＤに基づくマルチキャストＷＵＲウェイクアップ（WUR Wake-up）フレームの受信をサポートしないことを示すには、サポートグループＩＤ（Supported Group IDs）フィールド３０８が０に設定される。ＷＵＲ  ＳＴＡが８ビット、１６ビット、３２ビット、および６４ビットのグループＩＤビットマップを格納できることを示すには、サポートグループＩＤ（Supported Group IDs）フィールド３０８がそれぞれ１、２、３、および４に設定される。要素３００がＡＰ１１０によって送信されるときには、サポート帯域（Supported Bands）フィールド３０２、ＰＣＲ遷移遅延（PCR Transition Delay）フィールド３０４、非ゼロ長フレーム本体サポート（Nonzero Length Frame Body Support）フィールド３０６、およびサポートグループＩＤ（Supported Group IDs）フィールド３０８は予備となる。
【００２１】
図３Ｂは、本開示に係る、ＷＵＲ動作（WUR Operation）要素３５０のフォーマットの例を示している。ＷＵＲ動作（WUR Operation）要素３５０は、ＡＰのＢＳＳ内のすべてのＷＵＲ  ＳＴＡに共通である、ＡＰによって制御されるＷＵＲパラメータ、を含む。ＷＵＲ動作（WUR Operation）要素３５０は、デューティサイクル周期単位（Duty Cycle Period Unit）フィールド３５２と、最小オン期間（Minimum On Duration）フィールド３５４と、ＷＵＲ動作クラス（WUR Operating Class）フィールド３５６と、ＷＵＲビーコン周期（WUR Beacon Period）フィールド３６０とを含む。デューティサイクル周期単位（Duty Cycle Period Unit）フィールド３５２は、ＷＵＲデューティサイクル動作の周期の基本単位を示し、この基本単位は、実施が容易であるように、非特許文献１に定義されている時間単位（１０２４μｓ）の倍数である。最小オン期間（Minimum On Duration）フィールド３５４は、ＷＵＲデューティサイクルスケジュールのオン期間の最小値を示し、この値は、実施が容易であるように、非特許文献１に定義されている時間単位（１０２４μｓ）の倍数である。ＷＵＲ動作クラス（WUR Operating Class）フィールド３５６は、ＡＰ１１０から、関連付けられるＷＵＲ  ＳＴＡへのＷＵＲフレームの送信に使用される動作クラスを示す。ＷＵＲビーコン周期（WUR Beacon Period）フィールド３６０は、ＷＵＲビーコン（WUR Beacon）フレームの周期を示す。
【００２２】
ＷＵＲ  ＳＴＡは、同期手順２２０によってＡＰ１１０と同期した後、ＡＰ１１０とのアソシエーション手順２２０を開始することができる。アソシエーション手順２２０においては、ＳＴＡはアソシエーション要求（Association Request）フレームまたは再アソシエーション要求（Reassociation Request）フレームをＡＰ１１０に送り、これらのフレームは、ＳＴＡのＷＵＲ能力をアドバタイズするＷＵＲ能力（WUR Capabilities）要素を含む。ＡＰ１１０は、アソシエーション応答（Association Response）フレームまたは再アソシエーション応答（Reassociation Response）フレームで応え、これらのフレームは、ＡＰ１１０のＷＵＲ能力をアドバタイズするＷＵＲ能力（WUR Capabilities）要素と、すべてのＷＵＲ  ＳＴＡに共通であるＷＵＲパラメータをアナウンスするＷＵＲ動作（WUR Operation）要素とを含む。アソシエーション要求（Association Request）フレーム、アソシエーション応答（Association Response）フレーム、再アソシエーション要求（Reassociation Request）フレーム、および再アソシエーション応答（Reassociation Response）フレームのフォーマットは、非特許文献１に定義されている。
【００２３】
ＳＴＡは、ＡＰ１１０とのアソシエーション手順２２０によってＡＰ１１０に関連付けられた後、自身のＰＣＲの電力管理モードをＰＳ（電力節約）モードに変更するため、電力管理モード変更手順２２５を開始することができる。電力管理モード変更手順２２５においては、ＳＴＡは、電力管理（Power Management）サブフィールドが１に設定されたＱｏＳヌル（QoS Null）フレームを、自身のＰＣＲを介してＡＰ１１０に送信することができる。ＡＰ１１０はＡｃｋフレームで応える。このＡｃｋフレームを受信した後、ＳＴＡのＰＣＲは、ＰＳモードで動作するように遷移する。その後ＳＴＡは、ユーザに固有なＷＵＲパラメータを交渉するため、ＡＰ１１０とのＷＵＲ交渉手順２３０を開始することができる。ＱｏＳヌル（QoS Null）フレームおよびＡｃｋフレームのフォーマットは、非特許文献１に定義されている。
【００２４】
図４は、本開示に係る、ＷＵＲ交渉手順の例を示している。ＷＵＲ  ＳＴＡは、ＷＵＲモードセットアップ（WUR Mode Setup）フレーム４１０（図５を参照）を自身のＰＣＲを介してＡＰ１１０に送信する。ＷＵＲモードセットアップ（WUR Mode Setup）フレーム４１０は、ＷＵＲモード（WUR Mode）要素（図６を参照）を含み、このときＷＵＲモード（WUR Mode）要素のアクションタイプ（Action Type）フィールドが「ＷＵＲモードサスペンド開始要求（Enter WUR Mode Suspend Request）」（図７を参照）に設定されており、かつＷＵＲパラメータ（WUR Parameters）フィールド（図８Ａを参照）がＳＴＡにとって好ましいＷＵＲパラメータを含む。ＡＰ１１０は、ＷＵＲモードセットアップ（WUR Mode Setup）フレーム４１０を正常に受信した時点でＡｃｋフレームで応える。その後ＡＰ１１０は、ＷＵＲモードセットアップ（WUR Mode Setup）フレーム４２０をＳＴＡに送信する。ＷＵＲモードセットアップ（WUR Mode Setup）フレーム４２０は、ＷＵＲモード（WUR Mode）要素（図６）を含み、このときＷＵＲモード（WUR Mode）要素のアクションタイプ（Action Type）フィールドが「ＷＵＲモードサスペンド開始応答（Enter WUR Mode Suspend Response）」に設定されており、かつＷＵＲモード応答ステータス（WUR Mode Response Status）フィールドが「承諾（Accept）」または「拒否（Denied）」に設定されている。ＷＵＲモードセットアップ（WUR Mode Setup）フレーム４２０の中のＷＵＲモード（WUR Mode）要素のＷＵＲモード応答ステータス（WUR Mode Response Status）フィールドが「承諾（Accept）」に設定される場合、同じＷＵＲモード（WUR Mode）要素のＷＵＲパラメータ（WUR Parameters）フィールド（図８Ｂを参照）は、ＡＰ１１０によって決定されるＷＵＲパラメータを含む。ＷＵＲモード応答ステータス（WUR Mode Response Status）フィールドが「拒否（Denied）」に設定される場合、ＷＵＲパラメータ（WUR Parameters）フィールドは存在しない。ＳＴＡは、ＷＵＲモードセットアップ（WUR Mode Setup）フレーム４２０を正常に受信した時点で、自身のＰＣＲを介してＡｃｋフレームで応える。
【００２５】
ＷＵＲ交渉手順２３０が正常に完了する（すなわちＷＵＲモードセットアップ（WUR Mode Setup）フレーム４２０内のＷＵＲモード（WUR Mode）要素のＷＵＲモード応答ステータス（WUR Mode Response Status）フィールドが「承諾（Accept）」に設定されている）場合、ＷＵＲ  ＳＴＡはＷＵＲモードサスペンド（WUR Mode Suspend）に入る。次にＷＵＲ  ＳＴＡは、よりいっそう電力が節約されるようにＷＵＲモードサスペンドからＷＵＲモードに切り替えるために、ＡＰ１１０とのＷＵＲモード開始手順２４０を開始することができる。図９は、本開示に係る、ＷＵＲモード開始手順２４０の例を示している。ＷＵＲ  ＳＴＡは、ＷＵＲモードセットアップ（WUR Mode Setup）フレームを自身のＰＣＲを介してＡＰ１１０に送信する。ＷＵＲモードセットアップ（WUR Mode Setup）フレームは、ＷＵＲモード（WUR Mode）要素を含み、このときＷＵＲモード（WUR Mode）要素のアクションタイプ（Action Type）フィールドが「ＷＵＲモード開始（Enter WUR Mode）」に設定されており、かつＷＵＲパラメータ（WUR Parameters）フィールドが存在しない。ＡＰ１１０は、ＷＵＲモードセットアップ（WUR Mode Setup）フレームを正常に受信した時点でＡｃｋフレームで応える。ＳＴＡは、Ａｃｋフレームを受信した後、ＷＵＲ交渉手順２３０においてＡＰ１１０とＳＴＡとの間で交渉されたＷＵＲパラメータに従って、ＷＵＲモードで動作する。さらに詳しくは、ＷＵＲモードで動作しているＳＴＡのＷＵＲｘは、ＳＴＡのＰＣＲがドーズ状態にある場合、ＡＰ１１０とＳＴＡとの間で交渉されたデューティサイクルスケジュールに従う。
【００２６】
あるいはＳＴＡは、ＷＵＲモードに入ることを求めるために、個別のＷＵＲ交渉手順２３０およびＷＵＲモード開始手順２４０の代わりに、統合されたＷＵＲ交渉およびＷＵＲモード開始手順をＡＰ１１０と開始することができる。統合されたＷＵＲ交渉およびＷＵＲモード開始手順においては、ＳＴＡは、ＷＵＲモードセットアップ（WUR Mode Setup）フレームを自身のＰＣＲを介してＡＰ１１０に送信する。このＷＵＲモードセットアップ（WUR Mode Setup）フレームは、ＷＵＲモード（WUR Mode）要素を含み、このときＷＵＲモード（WUR Mode）要素のアクションタイプ（Action Type）フィールドが「ＷＵＲモード開始要求（Enter WUR Mode Request）」に設定されており、かつＷＵＲパラメータ（WUR Parameters）フィールドが、ＳＴＡにとって好ましいＷＵＲパラメータを含む。ＡＰ１１０は、このＷＵＲモードセットアップ（WUR Mode Setup）フレームを正常に受信した時点でＡｃｋフレームで応える。その後ＡＰ１１０は、ＷＵＲモードセットアップ（WUR Mode Setup）フレームをＳＴＡに送信する。このＷＵＲモードセットアップ（WUR Mode Setup）フレームは、ＷＵＲモード（WUR Mode）要素を含み、このときＷＵＲモード（WUR Mode）要素のアクションタイプ（Action Type）フィールドが「ＷＵＲモード開始応答（Enter WUR Mode Response）」に設定されており、かつＷＵＲモード応答ステータス（WUR Mode Response Status）フィールドが「承諾（Accept）」または「拒否（Denied）」に設定されている。ＷＵＲモード応答ステータス（WUR Mode Response Status）フィールドが「承諾（Accept）」に設定される場合、ＷＵＲパラメータ（WUR Parameters）フィールドは、ＡＰ１１０によって決定されるＷＵＲパラメータを含む。ＷＵＲモード応答ステータス（WUR Mode Response Status）フィールドが「拒否（Denied）」に設定される場合、ＷＵＲパラメータ（WUR Parameters）フィールドは存在しない。ＳＴＡは、このＷＵＲモードセットアップ（WUR Mode Setup）フレームを正常に受信した時点で、自身のＰＣＲを介してＡｃｋフレームで応える。
【００２７】
本開示によれば、ＷＵＲモードで動作しているＷＵＲ  ＳＴＡのＰＣＲがドーズ状態にある場合、ＳＴＡのＷＵＲｘがＷＵＲウェイクアップ（WUR Wake-up）フレームをＡＰ１１０から受信すると、図２に示したようにＳＴＡのＰＣＲがアウェイク状態に遷移し、ＡＰ１１０とのダウンリンクデータ送信および確認応答手順（a DL data transmission and acknowledgement procedure）２５０を開始する。このダウンリンクデータ送信および確認応答手順２５０においては、ＷＵＲ  ＳＴＡは、バッファリングされているトラフィックを取得し、またＷＵＲウェイクアップ（WUR Wake-up）フレームを正常に受信したことを確認応答するために、ＰＳポーリング（PS-Poll）フレームを自身のＰＣＲを介してＡＰ１１０に送信することができる。ＡＰ１１０は、このＰＳポーリング（PS-Poll）フレームに対して、バッファリングされているＱｏＳデータ（QoS Data）フレームで応える、またはＡｃｋフレームおよびそれに続く、個別のＴＸＯＰ（送信機会）における送信キューの先頭のバッファリングされているＱｏＳデータ（QoS Data）フレームで応える。ＳＴＡ宛のバッファリングされているさらなるトラフィックが存在する場合、配信されるＱｏＳデータ（QoS Data）フレーム内のさらなるデータ（More Data）フィールドが１に設定される。そうでない場合、配信されるＱｏＳデータ（QoS Data）フレーム内のさらなるデータ（More Data）フィールドが０に設定される。ＳＴＡは、ＱｏＳデータ（QoS Data）フレームが正常に受信されたことを確認応答するため、自身のＰＣＲを介して確認応答フレームで応える。確認応答フレームは、ＡｃｋフレームまたはＢｌｏｃｋＡｃｋフレームのいずれかである。ＱｏＳデータ（QoS Data）フレームおよびＢｌｏｃｋＡｃｋフレームのフォーマットは、非特許文献１に定義されている。
【００２８】
本開示によれば、ＷＵＲ  ＳＴＡは、ＷＵＲモードを終了（tear down）しようとするとき、ＡＰ１１０とのＷＵＲモード終了手順２６０を開始する。図１０は、本開示に係る、ＷＵＲモード終了手順２６０の例を示している。ＳＴＡは、ＷＵＲモードティアダウン（WUR Mode Teardown）フレーム（図５を参照）を自身のＰＣＲを介してＡＰ１１０に送信する。ＡＰ１１０は、ＷＵＲモードティアダウン（WUR Mode Teardown）フレームを正常に受信した時点で、Ａｃｋフレームで応える。ＳＴＡは、Ａｃｋフレームを受信した後、ＷＵＲモードを終了する。
【００２９】
（ＷＵＲモードセットアップ（WUR Mode Setup）フレームまたはＷＵＲモードティアダウン（WUR Mode Teardown）フレームのフォーマットの例）
図５は、本開示に係る、ＷＵＲモードセットアップ（WUR Mode Setup）フレーム５００またはＷＵＲモードティアダウン（WUR Mode Teardown）フレーム５００のフォーマットの例を示している。フレーム５００は、フレーム本体（Frame Body）フィールド５２０を含む。フレーム５００はＷＵＲアクション（WUR Action）フレームであり、フレーム本体（Frame Body）フィールド５２０のＷＵＲアクション（WUR Action）フィールド５２２は、フレーム５００がＷＵＲモードセットアップ（WUR Mode Setup）フレームであるかＷＵＲモードティアダウン（WUR Mode Teardown）フレームであるかを示す。フレーム５００がＷＵＲモードセットアップ（WUR Mode Setup）フレームである場合、フレーム本体（Frame Body）フィールド５２０はＷＵＲモード（WUR Mode）要素５２４を含むことができる。そうでない場合、ＷＵＲモード（WUR Mode）要素５２４は存在しない。
【００３０】
図６は、本開示に係る、ＷＵＲモード（WUR Mode）要素５２４のフォーマットの例を示している。ＷＵＲモード（WUR Mode）要素５２４は、アクションタイプ（Action Type）フィールド６０２と、ＷＵＲモード応答ステータス（WUR Mode Response Status）フィールド６０４とを含む。ＷＵＲモード（WUR Mode）要素５２４は、ＷＵＲパラメータ（WUR Parameters）フィールド６０６を含むことができる。アクションタイプ（Action Type）フィールド６０２は、図７に定義されており、ＷＵＲモード（WUR Mode）要素５２４を含むＷＵＲモードセットアップ（WUR Mode Setup）フレームによって選択されるアクションを示す。ＷＵＲモード応答ステータス（WUR Mode Response Status）フィールド６０４は、ＷＵＲモードサスペンドまたはＷＵＲモードに入る要求が承諾されるか拒否されるかを示す。ＷＵＲパラメータ（WUR Parameters）フィールド６０６は、ＷＵＲ  ＳＴＡにとって好ましい、またはＡＰ１１０によって決定される、ユーザに固有なＷＵＲパラメータを含む。
【００３１】
図８Ａは、本開示に係る、ＷＵＲ  ＳＴＡによって送信されるＷＵＲモード（WUR Mode）要素５２４のＷＵＲパラメータ（WUR Parameters）フィールド６０６のフォーマットの例を示している。ＳＴＡによって送信されるＷＵＲモード（WUR Mode）要素５２４のＷＵＲパラメータ（WUR Parameters）フィールド６０６は、オン期間（On Duration）フィールド８０２およびデューティサイクル周期（Duty Cycle Period）フィールド８０４を含む。オン期間（On Duration）フィールド８０２は、各ＷＵＲデューティサイクルスケジュールの好ましいオン期間（この期間の間、ＳＴＡのＷＵＲｘがＷＵＲｘアウェイク状態にある）を示す。好ましいオン期間は、実施が容易であるように、非特許文献１に定義されている時間単位（１０２４μｓ）の倍数であり、ＡＰ１１０から直近に受信されたＷＵＲ動作（WUR Operation）要素３５０の中の最小オン期間（Minimum On Duration）フィールド３５４によって示される最小オン期間以上である。デューティサイクル周期（Duty Cycle Period）フィールド８０４は、２つの連続するＷＵＲデューティサイクルスケジュールの開始時刻の間の好ましい経過時間を示す。デューティサイクル周期（Duty Cycle Period）フィールド８０４は、ＡＰ１１０から直近に受信されたＷＵＲ動作（WUR Operation）要素３５０の中のデューティサイクル周期単位（Duty Cycle Period Unit）フィールド３５２によって示される単位に基づく。
【００３２】
図８Ｂは、本開示に係る、ＡＰ１１０によって送信されるＷＵＲモード（WUR Mode）要素５２４のＷＵＲパラメータ（WUR Parameters）フィールド６０６のフォーマットの例を示している。ＡＰ１１０によって送信されるＷＵＲモード（WUR Mode）要素５２４のＷＵＲパラメータ（WUR Parameters）フィールド６０６は、ウェイクアップＩＤ（識別子）（Wake-up ID）フィールド８１０と、デューティサイクル情報（Duty Cycle Information）フィールド８２０と、ＷＵＲチャネル（WUR Channel）フィールド８３０と、グループＩＤリスト（Group ID List）フィールド８４０とを含む。ウェイクアップＩＤ（Wake-up ID）フィールド８１０は、対象とするＷＵＲ  ＳＴＡにＡＰ１１０によって割り当てられるウェイクアップＩＤを示し、ウェイクアップＩＤは、ＡＰ１１０のＢＳＳの中で、対象とするＷＵＲ  ＳＴＡを一意に識別する。
【００３３】
デューティサイクル情報（Duty Cycle Information）フィールド８２０は、開始点（Starting Point）フィールド８２２と、オン期間（On Duration）フィールド８２４と、デューティサイクル周期（Duty Cycle Period）フィールド８２６とを含む。開始点（Starting Point）フィールド８２２は、対象とするＳＴＡのＷＵＲデューティサイクルスケジュールの開始点のＴＳＦ（時刻同期機能）時刻を示す。オン期間（On Duration）フィールド８２４は、各ＷＵＲデューティサイクルスケジュールの決定されたオン期間（この期間の間、対象とするＳＴＡのＷＵＲｘがＷＵＲｘアウェイク状態にある）を示す。決定されるオン期間は、実施が容易であるように、非特許文献１に定義されている時間単位（１０２４μｓ）の倍数であり、直近に送信されたＷＵＲ動作（WUR Operation）要素３５０の中の最小オン期間（Minimum On Duration）フィールド３５４によって示される最小オン期間以上である。デューティサイクル周期（Duty Cycle Period）フィールド８２６は、２つの連続するＷＵＲデューティサイクルスケジュールの開始時刻の間の決定された経過時間を示す。デューティサイクル周期（Duty Cycle Period）フィールド８２６は、直近に送信されたＷＵＲ動作（WUR Operation）要素３５０の中のデューティサイクル周期単位（Duty Cycle Period Unit）フィールド３５２によって示される単位に基づく。なお、ＷＵＲモードで動作しているＷＵＲ  ＳＴＡの場合、決定されたオン期間が、決定されたデューティサイクル周期に等しいときには、ＳＴＡのＰＣＲがドーズ状態にある場合、ＳＴＡのＷＵＲｘは常にＷＵＲｘアウェイク状態にある。
【００３４】
ＷＵＲチャネル（WUR Channel）フィールド８３０は、ＡＰ１１０から対象とするＷＵＲ  ＳＴＡにＷＵＲフレームを送信するのに使用されるチャネルを示す。
【００３５】
グループＩＤリスト（Group ID List）フィールド８４０は、対象とするＷＵＲ  ＳＴＡにＡＰ１１０によって割り当てられるグループＩＤに関する情報を含む。グループＩＤは、ＡＰ１１０のＢＳＳの中で、ＷＵＲ  ＳＴＡのグループを一意に識別する。グループＩＤリスト（Group ID List）フィールド８４０のフォーマットについては、後から詳しく説明する。
【００３６】
（ＷＵＲフレームのフォーマットの例）
図１１は、本開示に係る、ＷＵＲフレーム１１００のフォーマットの例を示している。ＷＵＲフレーム１１００は、フレーム制御（Frame Control）フィールド１１１０と、アドレス（Address）フィールド１１２０と、ＴＤ（タイプ依存）制御（TD Control）フィールド１１３０とを含む。ＷＵＲフレーム１１００は、フレーム本体（Frame Body）フィールド１１４０を含むことができる。フレーム制御（Frame Control）フィールド１１１０は、タイプ（Type）サブフィールド１１１２と、フレーム本体存在（Frame Body Presence）サブフィールド１１１４と、長さ／別の目的（Length/Misc）サブフィールド１１１６とを含む。タイプ（Type）サブフィールド１１１２は、ＷＵＲフレーム１１００のタイプを、図１２に定義されているように定義する。特に、フレーム制御（Frame Control）フィールド１１１０のタイプ（Type）サブフィールド１１１２が１に設定されているＷＵＲフレーム１１００は、ＷＵＲウェイクアップ（WUR Wake-up）フレームである。フレーム本体存在（Frame Body Presence）サブフィールド１１１４は、ＷＵＲフレーム１１００内にフレーム本体（Frame Body）フィールド１１４０が存在するかを示す。長さ／別の目的（Length/Misc）サブフィールド１１１６は、ＷＵＲフレーム１１００内にフレーム本体（Frame Body）フィールド１１４０が存在する場合には、フレーム本体（Frame Body）フィールド１１４０の長さを含み、そうでない場合には、別の目的に使用されることが予測されるビットを含む。
【００３７】
アドレス（Address）フィールド１１２０は、ＷＵＲフレーム１１００の識別子を含む。アドレス（Address）フィールド１１２０に含まれる識別子は、ＷＵＲフレーム１１００のタイプに依存する。具体的には、アドレス（Address）フィールド１１２０は、図１３に定義されているように、ＷＵＲフレーム１１００がユニキャスト（すなわち個別にアドレッシングされる）ＷＵＲウェイクアップ（WUR Wake-up）フレームであるときには、対象とするＷＵＲ  ＳＴＡのウェイクアップＩＤを含み、ＷＵＲフレーム１１００がマルチキャスト（すなわちグループアドレスを宛先とする）ＷＵＲウェイクアップ（WUR Wake-up）フレームであるときには、対象とするＷＵＲ  ＳＴＡグループのグループＩＤを含み、ＷＵＲフレーム１１００がブロードキャストＷＵＲウェイクアップ（WUR Wake-up）フレームまたはＷＵＲビーコン（WUR Beacon）フレームであるときには、送信ＩＤを含む。ウェイクアップＩＤ、グループＩＤ、および送信ＩＤのそれぞれは、１２ビットのサイズを有する。１２ビットのＴＤ（タイプ依存）制御（TD Control）フィールド１１３０は、ＷＵＲフレーム１１００のタイプに依存する制御情報を含む。例えば、ＷＵＲフレーム１１００がＷＵＲビーコン（WUR Beacon）フレームである場合、ＴＤ制御（TD Control）フィールド１１３０は部分ＴＳＦ（partial TSF）を含む。
【００３８】
本開示によれば、アドレス（Address）フィールド１１２０が第１の特殊ＩＤ（例：０ｘ０００）に設定されたＷＵＲウェイクアップ（WUR Wake-up）フレーム１１００は、２つ以上のウェイクアップＩＤを含むフレーム本体（Frame Body）フィールド１１４０を有する。この場合、このＷＵＲウェイクアップ（WUR Wake-up）フレーム１１００は、２つ以上のＷＵＲ  ＳＴＡをウェイクアップさせるために使用される。第１の特殊ＩＤは、固定されている、または識別子の空間内でＡＰ１１０によってランダムに選択される。第１の特殊ＩＤが識別子の空間内でＡＰ１１０によってランダムに選択される場合、このＩＤを、ＷＵＲ動作（WUR Operation）要素３５０内の第１の特殊ＩＤ（First Special ID）フィールド３６４において示すことができる。結果として、隣り合うＡＰのＢＳＳ内の第１の特殊ＩＤ間の衝突を最小にすることができる。
【００３９】
本開示によれば、アドレス（Address）フィールド１１２０が第２の特殊ＩＤに設定されたＷＵＲウェイクアップ（WUR Wake-up）フレーム１１００は、ＡＰ１１０がグループアドレスを宛先とするフレームを送信することを示すために使用される。第２の特殊ＩＤは、固定されている、または識別子の空間内でＡＰ１１０によってランダムに選択される。第２の特殊ＩＤが識別子の空間内でＡＰ１１０によってランダムに選択される場合、このＩＤを、ＷＵＲ動作（WUR Operation）要素３５０内の第２の特殊ＩＤ（Second Special ID）フィールド３６６において示すことができる。結果として、隣り合うＡＰのＢＳＳ内の第２の特殊ＩＤ間の衝突を最小にすることができる。
【００４０】
本開示によれば、関連付けられるＷＵＲ  ＳＴＡにＡＰ１１０によって割り当てられるウェイクアップＩＤ、関連付けられるＷＵＲ  ＳＴＡにＡＰ１１０によって割り当てられるグループＩＤ、第１の特殊ＩＤ、第２の特殊ＩＤ、およびＡＰ１１０の送信ＩＤは、異なる。結果としてＷＵＲ  ＳＴＡは、自身が、受信されたＷＵＲウェイクアップ（WUR Wake-up）フレームの対象とする受信者であるかを、図１３に示したようにこのフレームのアドレス（Address）フィールドに基づいて識別することができる。
【００４１】
本開示によれば、グループＩＤの値の範囲は、識別子の空間から得られる連続的な値のサブセットである。グループＩＤの値の範囲は、複数の異なるＡＰのＢＳＳにおけるグループＩＤの値の範囲が異なるように設定可能である。結果として、複数の異なるＡＰによって同じグループＩＤが割り当てられる確率が最小になり、このことは、ＷＵＲ  ＳＴＡがマルチキャストＷＵＲウェイクアップ（WUR Wake-up）フレームをアドレス（Address）フィールドを使用して正しくフィルタリングするうえで有用である。
【００４２】
図１４Ａは、本開示に係る、識別子の空間の例を示している。この識別子の空間は、４０９６個の識別子を含む。この例では、第１の特殊ＩＤが０であり、第２の特殊ＩＤが１５３６であり、ＡＰ１１０の送信ＩＤが２８８である。特定のＷＵＲ  ＳＴＡにＡＰ１１０によって割り当てられるウェイクアップＩＤは、１〜２５５、２８９〜１５３５、および１５３７〜４０９５の値範囲から、ランダムに選択することができる。ＷＵＲ  ＳＴＡの特定のグループにＡＰ１１０によって割り当てられるグループＩＤは、３２個の連続的な識別子を含む２５６〜２８７の値範囲から、ランダムに選択することができる。この例では、ＡＰ１１０によって提供することのできるグループＩＤの数は、３２である。
【００４３】
本開示によれば、ＷＵＲ  ＳＴＡは、ＷＵＲウェイクアップ（WUR Wake-up）フレームを含むＷＵＲ  ＰＰＤＵを受信すると、最初にＷＵＲウェイクアップ（WUR Wake-up）フレームのアドレス（Address）フィールドを復号してフレームフィルタリング手順を実行することができる。
【００４４】
図１４Ｂは、本開示に係る、フレームフィルタリング手順１４００の例を示している。この手順１４００は、ステップ１４０２から始まる。ステップ１４０４において、ＳＴＡは、受信したＷＵＲウェイクアップ（WUR Wake-up）フレームのアドレス（Address）フィールドに含まれている識別子が、自身に割り当てられているウェイクアップＩＤ、自身に割り当てられているグループＩＤのいずれか、第１の特殊ＩＤ、またはＡＰ１１０の送信ＩＤに一致するかを判定する。受信したＷＵＲウェイクアップ（WUR Wake-up）フレームのアドレス（Address）フィールドに含まれている識別子が、自身に割り当てられているウェイクアップＩＤ、自身に割り当てられているグループＩＤのいずれか、第１の特殊ＩＤ、またはＡＰ１１０の送信ＩＤに一致する場合、手順１４００はステップ１４１０に進む。そうでない場合、ステップ１４０６において、ＳＴＡは、受信したＷＵＲウェイクアップ（WUR Wake-up）フレームのアドレス（Address）フィールドに含まれている識別子が、第２の特殊ＩＤに一致するかを判定する。受信したＷＵＲウェイクアップ（WUR Wake-up）フレームのアドレス（Address）フィールドに含まれている識別子が、第２の特殊ＩＤに一致しない場合、手順１４００はステップ１４１２に進む。そうでない場合、ステップ１４０８において、ＳＴＡは、グループアドレスを宛先とするフレームを自身が受信するかを決定する。グループアドレスを宛先とするフレームを受信する場合、ステップ１４１０において、ＳＴＡは、受信したＷＵＲウェイクアップ（WUR Wake-up）フレームのアドレス（Address）フィールドに続くフィールドを復号する。そうでない場合、ステップ１４１２において、ＳＴＡは、受信したＷＵＲウェイクアップ（WUR Wake-up）フレームを破棄する。手順１４００はステップ１４２０において終了する。
【００４５】
本開示によれば、ＷＵＲ  ＳＴＡがＷＵＲウェイクアップ（WUR Wake-up）フレームを含むＷＵＲ  ＰＰＤＵを受信したときに、図１４Ｂに示したようにフレームフィルタリング手順１４００を実行することによって、ＳＴＡは、ＷＵＲウェイクアップ（WUR Wake-up）フレームのアドレス（Address）フィールドに続くフィールドを復号しないように決定することもでき、したがってＳＴＡの電力消費量を低減することができる。
【００４６】
本開示によれば、ＷＵＲ  ＳＴＡにＡＰ１１０によって割り当てられるウェイクアップＩＤは、ＡＰ１１０とＳＴＡとの間のＷＵＲ交渉手順（図２および図４を参照）時にＡＰ１１０によって送信されるＷＵＲモード（WUR Mode）要素５２４内のＷＵＲパラメータ（WUR Parameters）フィールド６０６のウェイクアップＩＤ（Wake-up ID）フィールド８１０（図８Ｂを参照）において示される。
【００４７】
本開示によれば、ＡＰ１１０の送信ＩＤは、ＡＰ１１０のＢＳＳＩＤ（基本サービスセット識別子）からアルゴリズムによって得られる。結果として、隣り合うＡＰの送信ＩＤ間の衝突を最小にすることができる。
【００４８】
本開示によれば、ＷＵＲ  ＳＴＡにＡＰ１１０によって割り当てられるグループＩＤに関する情報は、ＡＰ１１０とＳＴＡとの間のＷＵＲ交渉手順時にＡＰ１１０によって送信されるＷＵＲモード（WUR Mode）要素５２４の中のＷＵＲパラメータ（WUR Parameters）フィールド６０６のグループＩＤリスト（Group ID List）フィールド８４０に示される。
【００４９】
（グループＩＤの割当て）
（第１の実施形態）
図１５は、本開示の第１の実施形態に係る、ＡＰ１１０によって送信されるＷＵＲモード（WUR Mode）要素５２４内のＷＵＲパラメータ（WUR Parameters）フィールド６０６のグループＩＤリスト（Group ID List）フィールド８４０のフォーマットの例を示している。このグループＩＤリスト（Group ID List）フィールド８４０は、グループ数（Number of Groups）フィールド１５０２およびグループＩＤタプル（Group ID Tuples）フィールド１５０４を含む。グループ数（Number of Groups）フィールド１５０２は、対象とするＷＵＲ  ＳＴＡが属すグループの数を示す。対象とするＷＵＲ  ＳＴＡが、グループＩＤに基づくマルチキャストＷＵＲウェイクアップ（WUR Wake-up）フレームの受信をサポートしていない場合、グループ数（Number of Groups）フィールド１５０２は０に設定される。グループＩＤタプル（Group ID Tuples）フィールド１５０４は、対象とするＷＵＲ  ＳＴＡが属すグループそれぞれのグループＩＤを含む。
【００５０】
以下の例を考える。
−  グループＩＤの値の範囲は２５６〜２８７である（すなわちＡＰ１１０によって提供することのできる最小グループＩＤが２５６であり、ＡＰ１１０によって提供することのできるグループＩＤの数が３２である）。
−  ＡＰ１１０によってＷＵＲ  ＳＴＡに割り当てられる６個のグループＩＤ：  ２５７，２６１，２６６，２６８，２７０，２８７
本開示のこの第１の実施形態によれば、グループＩＤ数（Number of Group IDs）フィールド１５０２の符号化は０ｂ０１１０であり、一方でグループＩＤタプル（Group ID Tuplｅｓ）フィールド１５０４の符号化は０ｘ１０１  １０５  １０Ａ  １０Ｃ  １０Ｅ  １１Ｆである。この例では、グループＩＤリスト（Group ID List）フィールド８４０のシグナリングオーバーヘッドは、７６ビットである。
【００５１】
本開示の第１の実施形態によれば、ＡＰ１１０によって送信されたＷＵＲモード（WUR Mode）要素５２４を受信した後、ＷＵＲ  ＳＴＡは、グループＩＤ情報の格納を容易にするため、グループＩＤリスト（Group ID List）フィールド８４０を、少なくとも１つのグループＩＤと、自身が格納することのできるグループＩＤビットマップのサイズ以下のサイズのグループＩＤビットマップとに、再編成することができる。この場合、グループＩＤ情報を格納するためのメモリ要件を最小にするため、ＡＰ１１０はＷＵＲ  ＳＴＡにグループＩＤを次のように割り当てる、すなわち、割り当てられたすべてのグループＩＤを、ＷＵＲ  ＳＴＡが格納することのできるグループＩＤビットマップと、グループＩＤビットマップのビット０に対応するグループＩＤとによって示すことができるように、割り当てることができる。
【００５２】
（第２の実施形態）
図１６は、本開示の第２の実施形態に係る、ＡＰ１１０によって送信されるＷＵＲモード（WUR Mode）要素５２４の中のＷＵＲパラメータ（WUR Parameters）フィールド６０６のグループＩＤリスト（Group ID List）フィールド８４０のフォーマットの例を示している。このグループＩＤリスト（Group ID List）フィールド８４０は、最小グループＩＤ（Smallest Group ID）フィールド１６０２およびグループＩＤビットマップ（Group ID Bitmap）フィールド１６０４を含む。最小グループＩＤ（Smallest Group ID）フィールド１６０２は、ＡＰ１１０によって提供することのできる最小のグループＩＤを示す。グループＩＤビットマップ（Group ID Bitmap）フィールド１６０４は、最小グループＩＤ（Smallest Group ID）フィールド１６０２との組合せにおいて、対象とするＷＵＲ  ＳＴＡにＡＰ１１０によって割り当てられるグループＩＤを示す。グループＩＤビットマップ（Group ID Bitmap）フィールド１６０４のサイズは、ＡＰ１１０によって提供することのできるグループＩＤの数（例：３２）と同じである。グループＩＤビットマップ（Group ID Bitmap）フィールド１６０４は、最下位ビット（ＬＳＢ：Least Significant Bit）（すなわちビット０）から始まる。対象とするＷＵＲ  ＳＴＡにＡＰ１１０によって割り当てられるグループＩＤは、最小グループＩＤ（Smallest Group ID）フィールド１６０２に示される最小グループＩＤと、グループＩＤビットマップ（Group ID Bitmap）フィールド１６０４内のビットが１に設定されているビット位置との合計に等しい。対象とするＷＵＲ  ＳＴＡが、グループＩＤに基づくマルチキャストＷＵＲウェイクアップ（WUR Wake-up）フレームの受信をサポートしない場合、グループＩＤビットマップ（Group ID Bitmap）フィールド１６０４はすべて０に設定される。
【００５３】
以下の例を考える。
−  グループＩＤの値の範囲は２５６〜２８７である（すなわちＡＰ１１０によって提供することのできる最小グループＩＤが２５６であり、ＡＰ１１０によって提供することのできるグループＩＤの数が３２である）。
−  ＡＰ１１０によってＷＵＲ  ＳＴＡに割り当てられる６個のグループＩＤ：  ２５７，２６１，２６６，２６８，２７０，２８７
【００５４】
本開示のこの第２の実施形態によれば、最小グループＩＤ（Smallest Group ID）フィールド１６０２の符号化は０ｘ１００であり、グループＩＤビットマップ（Group ID Bitmap）フィールド１６０４の符号化は０ｘ８０００５４２２である。この例では、グループＩＤリスト（Group ID List）フィールド８４０のシグナリングオーバーヘッドは、４４ビットである。このため第２の実施形態では、シグナリングオーバーヘッドが第１の実施形態より少なくなりうる。
【００５５】
本開示のこの第２の実施形態によれば、これに代えて、ＡＰ１１０によって提供することのできる最小グループＩＤを、ＷＵＲ動作（WUR Operation）要素３５０内の最小グループＩＤ（Smallest Group ID）フィールド３６２において示すことができ、なぜならＡＰ１１０によって提供することのできる最小グループＩＤは、すべてのＷＵＲ  ＳＴＡに共通のＷＵＲパラメータであるためである。この場合、対象とするＷＵＲ  ＳＴＡにＡＰ１１０によって割り当てられるグループＩＤは、直近に受信されたＷＵＲ動作（WUR Operation）要素３５０内の最小グループＩＤ（Smallest Group ID）フィールド３６２と、グループＩＤビットマップ（Group ID Bitmap）フィールド１６０４内のビットが１に設定されているビット位置との合計に等しい。
【００５６】
本開示のこの第２の実施形態によれば、対象とするＷＵＲ  ＳＴＡが格納することのできるグループＩＤビットマップのサイズが、ＡＰ１１０によって提供することのできるグループＩＤの数より小さい場合、ＷＵＲ  ＳＴＡは、受信されたＷＵＲモード（WUR Mode）要素５２４の中のグループＩＤビットマップ（Group ID Bitmap）フィールド１６０４に含まれているグループＩＤビットマップを直接格納することができない。結果として、ＷＵＲ  ＳＴＡは、ＡＰ１１０によって送信されたＷＵＲモード（WUR Mode）要素５２４を受信した後、グループＩＤ情報を容易に格納できるように、グループＩＤリスト（Group ID List）フィールド８４０を、少なくとも１つのグループＩＤと、自身が格納することのできるグループＩＤビットマップのサイズ以下のサイズのグループＩＤビットマップとに、再編成することができる。この場合、グループＩＤ情報を格納するためのメモリ要件を最小にするため、ＡＰ１１０はＷＵＲ  ＳＴＡにグループＩＤを次のように割り当てる、すなわち、割り当てられたすべてのグループＩＤを、ＷＵＲ  ＳＴＡが格納することのできるグループＩＤビットマップと、グループＩＤビットマップのビット０に対応するグループＩＤとによって示すことができるように、割り当てることができる。
【００５７】
（第３の実施形態）
図１７は、本開示の第３の実施形態に係る、ＡＰ１１０によって送信されるＷＵＲモード（WUR Mode）要素５２４内のＷＵＲパラメータ（WUR Parameters）フィールド６０６のグループＩＤリスト（Group ID List）フィールド８４０のフォーマットの例を示している。このグループＩＤリスト（Group ID List）フィールド８４０は、グループＩＤ数（Number of Group IDs）フィールド１７０２と、グループＩＤタプル（Group ID Tuples）フィールド１７０４と、グループＩＤビットマップサイズ（Group ID Bitmap Size）フィールド１７０６と、ビットマップ先頭グループＩＤ（Group ID Bitmap Start）フィールド１７０８と、グループＩＤビットマップ（Group ID Bitmap）フィールド１７１０とを含む。グループＩＤ数（Number of Group IDs）フィールド１７０２は、対象とするＷＵＲ  ＳＴＡにＡＰ１１０によって割り当てられておりかつグループＩＤタプル（Group ID Tuples）フィールド１７０４に含まれているグループＩＤの数を示す。グループＩＤビットマップサイズ（Group ID Bitmap Size）フィールド１７０６は、グループＩＤビットマップ（Group ID Bitmap）フィールド１７１０のサイズを示す。ＡＰ１１０によって提供することのできるグループＩＤの数が６４である場合、グループＩＤビットマップサイズ（Group ID Bitmap Size）フィールド１７０６は３ビットのサイズを有することができる。この場合、グループＩＤビットマップサイズ（Group ID Bitmap Size）フィールド１７０６が０に設定されていると、ビットマップ先頭グループＩＤ（Group ID Bitmap Start）フィールド１７０８およびグループＩＤビットマップ（Group ID Bitmap）フィールド１７１０が存在しないことを示す。グループＩＤビットマップサイズ（Group ID Bitmap Size）フィールド１７０６が１、２、３、または４に設定されていると、グループＩＤビットマップ（Group ID Bitmap）フィールド１７１０が８ビット、１６ビット、３２ビット、または６４ビットのビットマップを含むことを示す。ビットマップ先頭グループＩＤ（Group ID Bitmap Start）フィールド１７０８は、グループＩＤビットマップ（Group ID Bitmap）フィールド１７１０の最下位ビット（すなわちビット０）に対応するグループＩＤを示す。ビットマップ先頭グループＩＤ（Group ID Bitmap Start）フィールド１７０８は、グループＩＤビットマップが、グループＩＤの値範囲の外側のグループＩＤを示していないように設定される。グループＩＤビットマップ（Group ID Bitmap）フィールド１７１０は、対象とするＷＵＲ  ＳＴＡにＡＰ１１０によって割り当てられる残りのグループＩＤを示す。対象とするＷＵＲ  ＳＴＡにＡＰ１１０によって割り当てられる残りのグループＩＤは、ビットマップ先頭グループＩＤ（Group ID Bitmap Start）フィールド１７０８に示されるグループＩＤと、グループＩＤビットマップ（Group ID Bitmap）フィールド１７１０内のビットが１に設定されているビット位置との合計に等しい。グループＩＤビットマップ（Group ID Bitmap）フィールド１７１０のサイズは、対象とするＷＵＲ  ＳＴＡが格納することのできるグループＩＤビットマップのサイズ以下である。対象とするＷＵＲ  ＳＴＡが、グループＩＤに基づくマルチキャストＷＵＲウェイクアップ（WUR Wake-up）フレームの受信をサポートしない場合、グループＩＤ数（Number of Group IDs）フィールド１７��２およびグループＩＤビットマップサイズ（Group ID Bitmap Size）フィールド１７０６の両方が０に設定される。
【００５８】
本開示のこの第３の実施形態によれば、ＷＵＲ  ＳＴＡは、ＡＰ１１０によって送信されたＷＵＲモード（WUR Mode）要素５２４を受信した後、グループＩＤタプル（Group ID Tuples）フィールド１７０４、ビットマップ先頭グループＩＤ（Group ID Bitmap Start）フィールド１７０８、およびグループＩＤビットマップ（Group ID Bitmap）フィールド１７１０に基づいて、グループＩＤ情報を直接格納することができる。この場合、グループＩＤ情報を格納するためのメモリ要件を最小にするため、ＡＰ１１０はＷＵＲ  ＳＴＡにグループＩＤを次のように割り当てる、すなわち、割り当てられたすべてのグループＩＤを、グループＩＤビットマップ（Group ID Bitmap）フィールド１７１０に含まれるグループＩＤビットマップと、ビットマップ先頭グループＩＤ（Group ID Bitmap Start）フィールド１７０８に含まれるグループＩＤとによって示すことができるように、割り当てることができる。ＷＵＲ  ＳＴＡは、グループＩＤリスト（Group ID List）フィールド８４０を、少なくとも１つのグループＩＤと、自身が格納することのできるグループＩＤビットマップのサイズ以下のサイズのグループＩＤビットマップとに再編成する必要がないため、ＷＵＲ  ＳＴＡを実施するときの複雑さが低減される。
【００５９】
以下の例を考える。
−  グループＩＤの値の範囲は２５６〜２８７である（すなわちＡＰ１１０によって提供することのできる最小グループＩＤが２５６であり、ＡＰ１１０によって提供することのできるグループＩＤの数が３２である）。
−  ＡＰ１１０によってＷＵＲ  ＳＴＡに割り当てられる６個のグループＩＤ：  ２５７，２６１，２６６，２６８，２７０，２８７
−  対象とするＷＵＲ  ＳＴＡは、１６ビットのグループＩＤビットマップを格納することができる。
【００６０】
本開示のこの第３の実施形態によれば、グループＩＤ数（Number of Group IDs）フィールド１７０２の符号化は０ｂ０００１であり、グループＩＤタプル（Group ID Tuples）フィールド１７０４の符号化は０ｘ１１Ｆであり、グループＩＤビットマップサイズ（Group ID Bitmap Size）フィールド１７０６の符号化は０ｂ０１０であり、ビットマップ先頭グループＩＤ（Group ID Bitmap Start）フィールド１７０８の符号化は０ｘ１０１であり、グループＩＤビットマップ（Group ID Bitmap）フィールド１７１０の符号化は０ｘ２Ａ１１である。この例では、グループＩＤリスト（Group ID List）フィールド８４０のシグナリングオーバーヘッドは、４７ビットである。グループＩＤ情報を格納するのに必要なメモリは、４０ビットである。
【００６１】
（第４の実施形態）
図１８は、本開示の第４の実施形態に係る、ＡＰ１１０によって送信されるＷＵＲモード（WUR Mode）要素５２４の中のＷＵＲパラメータ（WUR Parameters）フィールド６０６のグループＩＤリスト（Group ID List）フィールド８４０のフォーマットの例を示している。このグループＩＤリスト（Group ID List）フィールド８４０は、グループＩＤ数（Number of Group IDs）フィールド１８０２と、グループＩＤタプル（Group ID Tuples）フィールド１８０４と、グループＩＤビットマップサイズ（Group ID Bitmap Size）フィールド１８０６と、グループＩＤビットマップ（Group ID Bitmap）フィールド１８１０と、最小グループＩＤ（Smallest Group ID）フィールド１８１２とを含む。グループＩＤ数（Number of Group IDs）フィールド１８０２は、対象とするＷＵＲ  ＳＴＡにＡＰ１１０によって割り当てられておりかつグループＩＤタプル（Group ID Tuples）フィールド１８０４に含まれているグループＩＤの数を示す。グループＩＤビットマップサイズ（Group ID Bitmap Size）フィールド１８０６は、グループＩＤビットマップ（Group ID Bitmap）フィールド１８１０のサイズを示す。ＡＰ１１０によって提供することのできるグループＩＤの数が６４である場合、グループＩＤビットマップサイズ（Group ID Bitmap Size）フィールド１８０６は、３ビットのサイズを有することができる。この場合、グループＩＤビットマップサイズ（Group ID Bitmap Size）フィールド１８０６が０に設定されていると、ビットマップ先頭グループＩＤ（Group ID Bitmap Start）フィールド１８０８およびグループＩＤビットマップ（Group ID Bitmap）フィールド１８１０が存在しない（すなわちＷＵＲ  ＳＴＡにＡＰ１１０によってグループＩＤが割り当てられない）ことを示す。グループＩＤビットマップサイズ（Group ID Bitmap Size）フィールド１８０６が１、２、３、または４に設定されていると、グループＩＤビットマップ（Group ID Bitmap）フィールド１８１０が８ビット、１６ビット、３２ビット、または６４ビットのビットマップを含むことを示す。ビットマップ先頭グループＩＤ（Group ID Bitmap Start）フィールド１８０８は、グループＩＤビットマップ（Group ID Bitmap）フィールド１８１０の最下位ビット（すなわちビット０）に対応するグループＩＤを示す。グループＩＤビットマップ（Group ID Bitmap）フィールド１８１０は、ビットマップ先頭グループＩＤ（Group ID Bitmap Start）フィールド１８０８との組合せにおいて、対象とするＷＵＲ  ＳＴＡにＡＰ１１０によって割り当てられる残りのグループＩＤを示す。最小グループＩＤ（Smallest Group ID）フィールド１８１２は、ＡＰ１１０によって提供することのできる最小グループＩＤを示す。
【００６２】
本開示のこの第４の実施形態によれば、対象とするＷＵＲ  ＳＴＡが、グループＩＤに基づくマルチキャストＷＵＲウェイクアップ（WUR Wake-up）フレームの受信をサポートしない場合、グループＩＤ数（Number of Group IDs）フィールド１８０２およびグループＩＤビットマップサイズ（Group ID Bitmap Size）フィールド１８０６の両方が０に設定される。
【００６３】
本開示のこの第４の実施形態によれば、グループＩＤビットマップ（Group ID Bitmap）フィールド１８１０内のビットＹ（Ｙ＝０，１，．．．，Ｌ−１、かつＬはグループＩＤビットマップ（Group ID Bitmap）フィールド１８１０のサイズ）が１に設定されているとき、ビットマップ先頭グループＩＤ（Group ID Bitmap Start）フィールド１８０８に示されるグループＩＤとＹとの合計が、ＡＰ１１０によって提供することのできる最大グループＩＤより大きい場合、対応するグループＩＤは、ビットマップ先頭グループＩＤ（Group ID Bitmap Start）フィールド１８０８に示されるグループＩＤとＹの合計から、ＡＰ１１０によって提供することのできるグループＩＤの数を減じた値に等しい。そうでない場合、対応するグループＩＤは、ビットマップ先頭グループＩＤ（Group ID Bitmap Start）フィールド１８０８に示されるグループＩＤとＹの合計に等しい。なお、ＡＰ１１０によって提供することのできる最大グループＩＤは、最小グループＩＤ（Smallest Group ID）フィールド１８１２に示される、ＡＰ１１０によって提供することのできる最小グループＩＤと、ＡＰ１１０によって提供することのできるグループＩＤの数との合計から１を減じた値に等しい。
【００６４】
本開示のこの第４の実施形態によれば、ＡＰ１１０によって提供することのできる最小グループＩＤを、ＷＵＲモード（WUR Mode）要素５２４内の最小グループＩＤ（Smallest Group ID）フィールド１８１２の代わりに、ＷＵＲ動作（WUR Operation）要素３５０内の最小グループＩＤ（Smallest Group ID）フィールド３６２において示すことができ、なぜならＡＰ１１０によって提供することのできる最小グループＩＤは、すべてのＷＵＲ  ＳＴＡに共通のＷＵＲパラメータであるためである。この場合、ＷＵＲ  ＳＴＡは、ＡＰ１１０によって提供することのできる最小グループＩＤを、直近に受信したＷＵＲ動作（WUR Operation）要素３５０から認識することができる。
【００６５】
本開示のこの第４の実施形態によれば、ＡＰ１１０によって提供することのできる最小グループＩＤを、ＷＵＲ動作（WUR Operation）要素３５０内の最小グループＩＤ（Smallest Group ID）フィールド３６２において、またはＷＵＲモード（WUR Mode）要素５２４内の最小グループＩＤ（Smallest Group ID）フィールド１８１２において示す代わりに、ＡＰ１１０によって提供することのできる最大グループＩＤを、ＷＵＲ動作（WUR Operation）要素３５０において、またはＡＰ１１０によって送信されるＷＵＲモード（WUR Mode）要素５２４のＷＵＲパラメータ（WUR Parameters）フィールド６０６において示すことができる。最大グループＩＤがＷＵＲ動作（WUR Operation）要素３５０において示される場合、ＷＵＲ  ＳＴＡは、ＡＰ１１０によって提供することのできる最大グループＩＤを、直近に受信されたＷＵＲ動作（WUR Operation）要素３５０から認識することができる。
【００６６】
本開示のこの第４の実施形態によれば、ＷＵＲ  ＳＴＡは、ＡＰ１１０によって送信されたＷＵＲモード（WUR Mode）要素５２４を受信した後、グループＩＤタプル（Group ID Tuples）フィールド１８０４、ビットマップ先頭グループＩＤ（Group ID Bitmap Start）フィールド１８０８、およびグループＩＤビットマップ（Group ID Bitmap）フィールド１８１０に基づいて、グループＩＤ情報を直接格納することができる。この場合、グループＩＤ情報を格納するためのメモリ要件を最小にするため、ＡＰ１１０はＷＵＲ  ＳＴＡにグループＩＤを次のように割り当てる、すなわち、割り当てられたすべてのグループＩＤを、グループＩＤビットマップ（Group ID Bitmap）フィールド１８１０に含まれるグループＩＤビットマップと、ビットマップ先頭グループＩＤ（Group ID Bitmap Start）フィールド１８０８に含まれるグループＩＤとによって示すことができるように、割り当てることができる。ＷＵＲ  ＳＴＡがグループＩＤリスト（Group ID List）フィールド８４０を、少なくとも１つのグループＩＤと、自身が格納することのできるグループＩＤビットマップのサイズ以下のサイズのグループＩＤビットマップとに再編成する必要がないため、ＷＵＲ  ＳＴＡを実施するときの複雑さが低減される。
【００６７】
以下の例を考える。
−  グループＩＤの値の範囲は２５６〜２８７である（すなわちＡＰ１１０によって提供することのできる最小グループＩＤが２５６であり、ＡＰ１１０によって提供することのできるグループＩＤの数が３２である）。
−  ＡＰ１１０によってＷＵＲ  ＳＴＡに割り当てられる６個のグループＩＤ：  ２５７，２６１，２６６，２６８，２７０，２８７
−  対象とするＷＵＲ  ＳＴＡは、１６ビットのグループＩＤビットマップを格納することができる。
−  ＡＰ１１０によって提供することのできる最小グループＩＤは、ＷＵＲ動作（WUR Operation）要素３５０において示される。
【００６８】
本開示のこの第４の実施形態によれば、グループＩＤ数（Number of Group IDs）フィールド１８０２の符号化は０ｂ００００であり、グループＩＤビットマップサイズ（Group ID Bitmap Size）フィールド１８０６の符号化は０ｂ０１０であり、ビットマップ先頭グループＩＤ（Group ID Bitmap Start）フィールド１８０８の符号化は０ｘ１１Ｆであり、グループＩＤビットマップ（Group ID Bitmap）フィールド１８１０の符号化は０ｘＡ８４５である。この例では、グループＩＤリスト（Group ID List）フィールド８４０のシグナリングオーバーヘッドは、３５ビットである。グループＩＤ情報を格納するのに必要なメモリは、２８ビットである。このため第４の実施形態では、シグナリングオーバーヘッドが第３の実施形態より少なくなりうる。さらに第４の実施形態では、グループＩＤ情報を格納するためのメモリ要件が第３の実施形態より少なくなりうる。
【００６９】
（第５の実施形態）
本開示の第５の実施形態によれば、ＷＵＲ  ＳＴＡによって送信されるＷＵＲ能力（WUR Capabilities）要素３００の、サポートグループＩＤ（Supported Group IDs）フィールド３０８が、ゼロ以外の値に設定され、ＷＵＲ  ＳＴＡは少なくとも１つのＷＵＲ  ＳＴＡグループに属し、グループＩＤは、以下の少なくとも１つが満たされるように、ＡＰ１１０によってＷＵＲ  ＳＴＡに割り当てられる。
−  ＡＰ１１０によってＷＵＲ  ＳＴＡに割り当てられる最大のグループＩＤから、ＡＰ１１０によってＷＵＲ  ＳＴＡに割り当てられる最小のグループＩＤを減じた値が、ＷＵＲ  ＳＴＡが格納することのできるグループＩＤビットマップのサイズより小さい。
−  第１の数と第２の数の合計が、ＷＵＲ  ＳＴＡが格納することのできるグループＩＤビットマップのサイズから１を減じた値より小さい。この場合、第１の数は、ＡＰ１１０によってＷＵＲ  ＳＴＡに割り当てられる第１のグループＩＤから、ＡＰ１１０によって提供することのできる最小グループＩＤを減じることによって導かれ、第２の数は、ＡＰ１１０によって提供することのできる最大グループＩＤから、ＡＰ１１０によってＷＵＲ  ＳＴＡに割り当てられる第２のグループＩＤを減じることによって導かれる。第１のグループＩＤは第２のグループＩＤより小さく、第１のグループＩＤと第2のグループＩＤの間にはＡＰ１１０によってＷＵＲ  ＳＴＡにグループＩＤが割り当てられない。第１のグループＩＤは、ＡＰ１１０によってＷＵＲ  ＳＴＡに割り当てられる、グループＩＤの値範囲の下半分の中で最大のグループＩＤとすることができる。第２のグループＩＤは、ＡＰ１１０によって割り当てられる、グループＩＤの値範囲の上半分の中で最小のグループＩＤとすることができる。
【００７０】
このようにすることにより、ＡＰ１１０によってＷＵＲ  ＳＴＡに割り当てられるグループＩＤを、ＷＵＲ  ＳＴＡが格納することのできるグループＩＤビットマップと、このグループＩＤビットマップのビット０に対応するグループＩＤとにおいて示すことができる。結果として、グループＩＤ情報を格納するために必要なＷＵＲ  ＳＴＡのメモリが最小になる。
【００７１】
図１９は、本開示の第５の実施形態に係る、ＡＰ１１０によって送信されるＷＵＲモード（WUR Mode）要素５２４内のＷＵＲパラメータ（WUR Parameters）フィールド６０６のグループＩＤリスト（Group ID List）フィールド８４０のフォーマットの例を示している。このグループＩＤリスト（Group ID List）フィールド８４０は、グループＩＤビットマップサイズ（Group ID Bitmap Size）フィールド１９０６と、ビットマップ先頭グループＩＤ（Group ID Bitmap Start）フィールド１９０８と、グループＩＤビットマップ（Group ID Bitmap）フィールド１９１０と、最小グループＩＤ（Smallest Group ID）フィールド１９１２とを含む。グループＩＤビットマップサイズ（Group ID Bitmap Size）フィールド１９０６は、グループＩＤビットマップ（Group ID Bitmap）フィールド１９１０のサイズを示す。ＡＰ１１０によって提供することのできるグループＩＤの数が６４である場合、グループＩＤビットマップサイズ（Group ID Bitmap Size）フィールド１９０６は、３ビットのサイズを有することができる。この場合にグループＩＤビットマップサイズ（Group ID Bitmap Size）フィールド１９０６が０に設定されていると、ビットマップ先頭グループＩＤ（Group ID Bitmap Start）フィールド１９０８およびグループＩＤビットマップ（Group ID Bitmap）フィールド１９１０が存在しない（すなわちＡＰ１１０によってＷＵＲ  ＳＴＡにグループＩＤが割り当てられない）ことを示す。グループＩＤビットマップサイズ（Group ID Bitmap Size）フィールド１９０６が１、２、３、または４に設定されていると、グループＩＤビットマップ（Group ID Bitmap）フィールド１９１０が、８ビット、１６ビット、３２ビット、または６４ビットのビットマップを含むことを示す。ビットマップ先頭グループＩＤ（Group ID Bitmap Start）フィールド１９０８は、グループＩＤビットマップ（Group ID Bitmap）フィールド１９１０の最下位ビット（すなわちビット０）に対応するグループＩＤを示す。グループＩＤビットマップ（Group ID Bitmap）フィールド１９１０は、ビットマップ先頭グループＩＤ（Group ID Bitmap Start）フィールド１９０８との組合せにおいて、ＡＰ１１０によってＷＵＲ  ＳＴＡに割り当てられるグループＩＤを示す。最小グループＩＤ（Smallest Group ID）フィールド１８１２は、ＡＰ１１０によって提供することのできる最小グループＩＤを示す。
【００７２】
本開示のこの第５の実施形態によれば、対象とするＷＵＲ  ＳＴＡが、グループＩＤに基づくマルチキャストＷＵＲウェイクアップ（WUR Wake-up）フレームの受信をサポートしない場合、グループＩＤビットマップサイズ（Group ID Bitmap Size）フィールド１９０６は０に設定される。
【００７３】
本開示のこの第５の実施形態によれば、グループＩＤビットマップ（Group ID Bitmap）フィールド１９１０内のビットＹ（Ｙ＝０，１，．．．，Ｌ−１、かつＬはグループＩＤビットマップ（Group ID Bitmap）フィールド１９１０のサイズ）が１に設定されているとき、ビットマップ先頭グループＩＤ（Group ID Bitmap Start）フィールド１９０８に示されるグループＩＤとＹとの合計が、ＡＰ１１０によって提供することのできる最大グループＩＤより大きい場合、対応するグループＩＤは、ビットマップ先頭グループＩＤ（Group ID Bitmap Start）フィールド１９０８に示されるグループＩＤとＹの合計から、ＡＰ１１０によって提供することのできるグループＩＤの数を減じた値に等しい。そうでない場合、対応するグループＩＤは、ビットマップ先頭グループＩＤ（Group ID Bitmap Start）フィールド１９０８に示されるグループＩＤとＹとの合計に等しい。なお、ＡＰ１１０によって提供することのできる最大グループＩＤは、ＡＰ１１０によって提供することのできる最小グループＩＤと、ＡＰ１１０によって提供することのできるグループＩＤの数の合計から１を減じた値に等しい。
【００７４】
本開示のこの第５の実施形態によれば、ＡＰ１１０によって提供することのできる最小グループＩＤを、ＷＵＲモード（WUR Mode）要素５２４の中の最小グループＩＤ（Smallest Group ID）フィールド１９１２の代わりに、ＷＵＲ動作（WUR Operation）要素３５０の中の最小グループＩＤ（Smallest Group ID）フィールド３６２において示すことができ、なぜならＡＰ１１０によって提供することのできる最小グループＩＤは、すべてのＷＵＲ  ＳＴＡに共通のＷＵＲパラメータであるためである。この場合、ＷＵＲ  ＳＴＡは、ＡＰ１１０によって提供することのできる最小グループＩＤを、直近に受信されたＷＵＲ動作（WUR Operation）要素３５０から認識することができる。
【００７５】
本開示のこの第５の実施形態によれば、ＡＰ１１０によって提供することのできる最小グループＩＤを、ＷＵＲ動作（WUR Operation）要素３５０内の最小グループＩＤ（Smallest Group ID）フィールド３６２またはＷＵＲモード（WUR Mode）要素５２４内の最小グループＩＤ（Smallest Group ID）フィールド１９１２において示す代わりに、ＡＰ１１０によって提供することのできる最大グループＩＤを、ＡＰ１１０によって送信されるＷＵＲ動作（WUR Operation）要素３５０の中で、またはＷＵＲモード（WUR Mode）要素５２４内のＷＵＲパラメータ（WUR Parameters）フィールド６０６において示すことができる。最大グループＩＤがＷＵＲ動作（WUR Operation）要素３５０において示される場合、ＷＵＲ  ＳＴＡは、ＡＰ１１０によって提供することのできる最大グループＩＤを、直近に受信されたＷＵＲ動作（WUR Operation）要素３５０から認識することができる。
【００７６】
本開示のこの第５の実施形態によれば、ＷＵＲ  ＳＴＡは、ＡＰ１１０によって送信されたＷＵＲモード（WUR Mode）要素５２４を受信した後、ビットマップ先頭グループＩＤ（Group ID Bitmap Start）フィールド１９０８およびグループＩＤビットマップ（Group ID Bitmap）フィールド１９１０に基づいて、グループＩＤ情報を直接格納することができる。第４の実施形態と比較して、グループＩＤ情報を格納するためのメモリ要件を低減することができる。
【００７７】
以下の例を考える。
−  グループＩＤの値の範囲は２５６〜２８７である（すなわちＡＰ１１０によって提供することのできる最小グループＩＤが２５６であり、ＡＰ１１０によって提供することのできるグループＩＤの数が３２である）。
−  ＡＰ１１０によってＷＵＲ  ＳＴＡに割り当てられる６個のグループＩＤ：  ２５７，２６１，２６６，２６８，２７０，２８７
−  対象とするＷＵＲ  ＳＴＡは、１６ビットのグループＩＤビットマップを格納することができる。
−  ＡＰ１１０によって提供することのできる最小グループＩＤは、ＷＵＲ動作（WUR Operation）要素３５０において示される。
【００７８】
なおこの例では、ＷＵＲ  ＳＴＡに割り当てられる最小のグループＩＤと最大のグループＩＤの差は３０であり、これはＷＵＲ  ＳＴＡが格納することのできるグループＩＤビットマップのサイズより大きい。しかしながら、ＷＵＲ  ＳＴＡに割り当てられる最小のグループＩＤと、ＡＰ１１０によって提供することのできる最小グループＩＤとの差と、ＷＵＲ  ＳＴＡに割り当てられる最大のグループＩＤと、ＡＰ１１０によって提供することのできる最大グループＩＤとの差、の合計は１であり、これはＷＵＲ  ＳＴＡが格納することのできるグループＩＤビットマップのサイズより小さい。本開示のこの第５の実施形態によれば、グループＩＤビットマップサイズ（Group ID Bitmap Size）フィールド１９０６の符号化は０ｂ０１０であり、ビットマップ先頭グループＩＤ（Group ID Bitmap Start）フィールド１９０８の符号化は０ｘ１１Ｆであり、グループＩＤビットマップ（Group ID Bitmap）フィールド１９１０の符号化は０ｘＡ８４５である。この例では、グループＩＤリスト（Group ID List）フィールド８４０のシグナリングオーバーヘッドは３１ビットである。グループＩＤ情報を格納するのに必要なメモリは２８ビットである。したがってこの第５の実施形態では、シグナリングオーバーヘッドが第４の実施形態より小さくなる。
【００７９】
（第６の実施形態）
本開示の第６の実施形態によれば、ＷＵＲ  ＳＴＡによって送信されるＷＵＲ能力（WUR Capabilities）要素３００の、サポートグループＩＤ（Supported Group IDs）フィールド３０８が０に設定される場合、ＡＰ１１０によって送信されるＷＵＲモード（WUR Mode）要素５２４の中のＷＵＲパラメータ（WUR Parameters）フィールド６０６内にグループＩＤリスト（Group ID List）フィールド８４０が存在しない。結果として、グループＩＤに基づくマルチキャストＷＵＲウェイクアップ（WUR Wake-up）フレームの受信をサポートしないＷＵＲ  ＳＴＡの場合、グループＩＤリスト（Group ID List）フィールド８４０のシグナリングオーバーヘッドが排除される。
【００８０】
本開示に係る第６の実施形態によれば、ＷＵＲ  ＳＴＡによって送信されるＷＵＲ能力（WUR Capabilities）要素３００の、サポートグループＩＤ（Supported Group IDs）フィールド３０８がゼロ以外の値に設定されているが、ＷＵＲ  ＳＴＡが、ＷＵＲ  ＳＴＡのいずれのグループにも属していない場合、ＡＰ１１０によって送信されるＷＵＲモード（WUR Mode）要素５２４の中のＷＵＲパラメータ（WUR Parameters）フィールド６０６内にグループＩＤリスト（Group ID List）フィールド８４０が存在しない。結果として、グループＩＤに基づくマルチキャストＷＵＲウェイクアップ（WUR Wake-up）フレームの受信をサポートするがＷＵＲ  ＳＴＡのいずれのグループにも属さないＷＵＲ  ＳＴＡの場合、グループＩＤリスト（Group ID List）フィールド８４０のシグナリングオーバーヘッドが排除される。
【００８１】
本開示のこの第６の実施形態によれば、ＷＵＲ  ＳＴＡによって送信されるＷＵＲ能力（WUR Capabilities）要素３００の、サポートグループＩＤ（Supported Group IDs）フィールド３０８がゼロ以外の値に設定されており、かつＷＵＲ  ＳＴＡが、ＷＵＲ  ＳＴＡの少なくとも１つのグループに属している場合、ＡＰ１１０によって送信されるＷＵＲモード（WUR Mode）要素５２４の中のＷＵＲパラメータ（WUR Parameters）フィールド６０６内にグループＩＤリスト（Group ID List）フィールド８４０が存在する。さらに、グループＩＤは、以下の少なくとも１つが満たされるように、ＡＰ１１０によってＷＵＲ  ＳＴＡに割り当てられる。
−  ＡＰ１１０によってＷＵＲ  ＳＴＡに割り当てられる最大のグループＩＤから、ＡＰ１１０によってＷＵＲ  ＳＴＡに割り当てられる最小のグループＩＤを減じた値が、ＷＵＲ  ＳＴＡが格納することのできるグループＩＤビットマップのサイズより小さい。
−  第１の数と第２の数の合計が、ＷＵＲ  ＳＴＡが格納することのできるグループＩＤビットマップのサイズから１を減じた値より小さい。この場合、第１の数は、ＡＰ１１０によってＷＵＲ  ＳＴＡに割り当てられる第１のグループＩＤから、ＡＰ１１０によって提供することのできる最小グループＩＤを減じることによって導かれ、第２の数は、ＡＰ１１０によって提供することのできる最大グループＩＤから、ＡＰ１１０によってＷＵＲ  ＳＴＡに割り当てられる第２のグループＩＤを減じることによって導かれる。第１のグループＩＤは第２のグループＩＤより小さく、第１のグループＩＤと第２のグループＩＤの間にはＡＰ１１０によってＷＵＲ  ＳＴＡにグループＩＤが割り当てられない。第１のグループＩＤは、ＡＰ１１０によってＷＵＲ  ＳＴＡに割り当てられる、グループＩＤの値範囲の下半分の中で最大のグループＩＤとすることができる。第２のグループＩＤは、ＡＰ１１０によって割り当てられる、グループＩＤの値範囲の上半分の中で最小のグループＩＤとすることができる。
【００８２】
このようにすることにより、ＡＰ１１０によってＷＵＲ  ＳＴＡに割り当てられるグループＩＤを、ＷＵＲ  ＳＴＡが格納することのできるグループＩＤビットマップと、このグループＩＤビットマップのビット０に対応するグループＩＤとにおいて示すことができる。結果として、グループＩＤ情報を格納するために必要なＷＵＲ  ＳＴＡのメモリが最小になる。
【００８３】
図２０は、本開示のこの第６の実施形態に係る、ＡＰ１１０によって送信されるＷＵＲモード（WUR Mode）要素５２４の中のＷＵＲパラメータ（WUR Parameters）フィールド６０６のグループＩＤリスト（Group ID List）フィールド８４０のフォーマットの例を示している。このグループＩＤリスト（Group ID List）フィールド８４０は、ビットマップ先頭グループＩＤ（Group ID Bitmap Start）フィールド２００８と、グループＩＤビットマップ（Group ID Bitmap）フィールド２０１０と、最小グループＩＤ（Smallest Group ID）フィールド２０１２とを含む。ビットマップ先頭グループＩＤ（Group ID Bitmap Start）フィールド２００８は、グループＩＤビットマップ（Group ID Bitmap）フィールド２０１０の最下位ビット（すなわちビット０）に対応するグループＩＤを示す。グループＩＤビットマップ（Group ID Bitmap）フィールド２０１０は、対象とするＷＵＲ  ＳＴＡにＡＰ１１０によって割り当てられるグループＩＤを示す。グループＩＤビットマップ（Group ID Bitmap）フィールド２０１０のサイズは、ＷＵＲ  ＳＴＡによって送信されるＷＵＲ能力（WUR Capabilities）要素３００の、サポートグループＩＤ（Supported Group IDs）フィールド３０８に示される、ＷＵＲ  ＳＴＡが格納することのできるグループＩＤビットマップのサイズと同じである。例えば、ＷＵＲ  ＳＴＡが３２ビットのグループＩＤビットマップを格納することができる場合、グループＩＤビットマップ（Group ID Bitmap）フィールド２０１０のサイズは３２ビットである。最小グループＩＤ（Smallest Group ID）フィールド２０１２は、ＡＰ１１０によって提供することのできる最小グループＩＤを示す。
【００８４】
本開示のこの第６の実施形態によれば、第５の実施形態と比較して、グループＩＤに基づくマルチキャストＷＵＲウェイクアップ（WUR Wake-up）フレームの受信をサポートするＷＵＲ  ＳＴＡの場合、グループＩＤリスト（Group ID List）フィールド８４０のシグナリングオーバーヘッドが減少する。
【００８５】
本開示のこの第６の実施形態によれば、グループＩＤビットマップ（Group ID Bitmap）フィールド２０１０内のビットＹ（Ｙ＝０，１，．．．，Ｌ−１、かつＬはグループＩＤビットマップ（Group ID Bitmap）フィールド２０１０のサイズ）が１に設定されているとき、ビットマップ先頭グループＩＤ（Group ID Bitmap Start）フィールド２００８に示されるグループＩＤとＹとの合計が、ＡＰ１１０によって提供することのできる最大グループＩＤより大きい場合、対応するグループＩＤは、ビットマップ先頭グループＩＤ（Group ID Bitmap Start）フィールド２００８に示されるグループＩＤとＹの合計から、ＡＰ１１０によって提供することのできるグループＩＤの数を減じた値に等しい。そうでない場合、対応するグループＩＤは、ビットマップ先頭グループＩＤ（Group ID Bitmap Start）フィールド２００８に示されるグループＩＤとＹとの合計に等しい。なお、ＡＰ１１０によって提供することのできる最大グループＩＤは、ＡＰ１１０によって提供することのできる最小グループＩＤと、ＡＰ１１０によって提供することのできるグループＩＤの数の合計から１を減じた値に等しい。
【００８６】
本開示のこの第６の実施形態によれば、ＡＰ１１０によって提供することのできる最小グループＩＤを、ＷＵＲモード（WUR Mode）要素５２４の中の最小グループＩＤ（Smallest Group ID）フィールド２０１２の代わりに、ＷＵＲ動作（WUR Operation）要素３５０の中の最小グループＩＤ（Smallest Group ID）フィールド３６２において示すことができ、なぜならＡＰ１１０によって提供することのできる最小グループＩＤは、すべてのＷＵＲ  ＳＴＡに共通のＷＵＲパラメータであるためである。この場合にＷＵＲ  ＳＴＡは、ＡＰ１１０によって提供することのできる最小グループＩＤを、直近に受信されたＷＵＲ動作（WUR Operation）要素３５０から認識することができる。
【００８７】
本開示のこの第６の実施形態によれば、ＡＰ１１０によって提供することのできる最小グループＩＤを、ＷＵＲ動作（WUR Operation）要素３５０の中の最小グループＩＤ（Smallest Group ID）フィールド３６２において、またはＷＵＲモード（WUR Mode）要素５２４の中の最小グループＩＤ（Smallest Group ID）フィールド２０１２において示す代わりに、ＡＰ１１０によって提供することのできる最大グループＩＤを、ＡＰ１１０によって送信されるＷＵＲ動作（WUR Operation）要素３５０において、またはＷＵＲモード（WUR Mode）要素５２４のＷＵＲパラメータ（WUR Parameters）フィールド６０６において示すことができる。最大グループＩＤがＷＵＲ動作（WUR Operation）要素３５０において示される場合、ＷＵＲ  ＳＴＡは、ＡＰ１１０によって提供することのできる最大グループＩＤを、直近に受信されたＷＵＲ動作（WUR Operation）要素３５０から認識することができる。
【００８８】
本開示のこの第６の実施形態によれば、ＷＵＲ  ＳＴＡは、ＡＰ１１０によって送信されるＷＵＲモード（WUR Mode）要素５２４を受信した後、グループＩＤ情報を、ビットマップ先頭グループＩＤ（Group ID Bitmap Start）フィールド２００８およびグループＩＤビットマップ（Group ID Bitmap）フィールド２０１０に基づいて直接格納することができる。
【００８９】
以下の例を考える。
−  グループＩＤの値の範囲は２５６〜２８７である（すなわちＡＰ１１０によって提供することのできる最小グループＩＤが２５６であり、ＡＰ１１０によって提供することのできるグループＩＤの数が３２である）。
−  ＡＰ１１０によってＷＵＲ  ＳＴＡに割り当てられる６個のグループＩＤ：  ２５７，２６１，２６６，２６８，２７０，２８７
−  対象とするＷＵＲ  ＳＴＡは、１６ビットのグループＩＤビットマップを格納することができる。
−  ＡＰ１１０によって提供することのできる最小グループＩＤは、ＷＵＲ動作（WUR Operation）要素３５０において示される。
【００９０】
なおこの例では、ＷＵＲ  ＳＴＡに割り当てられる最小のグループＩＤと最大のグループＩＤの差は３０であり、これはＷＵＲ  ＳＴＡが格納することのできるグループＩＤビットマップのサイズより大きい。しかしながら、ＷＵＲ  ＳＴＡに割り当てられる最小のグループＩＤと、ＡＰ１１０によって提供することのできる最小グループＩＤとの差と、ＷＵＲ  ＳＴＡに割り当てられる最大のグループＩＤと、ＡＰ１１０によって提供することのできる最大グループＩＤとの差、の合計は１であり、これはＷＵＲ  ＳＴＡが格納することのできるグループＩＤビットマップのサイズより小さい。本開示のこの第６の実施形態によれば、ビットマップ先頭グループＩＤ（Group ID Bitmap Start）フィールド２００８の符号化は０ｘ１１Ｆであり、グループＩＤビットマップ（Group ID Bitmap）フィールド２０１０の符号化は０ｘＡ８４５である。この例では、グループＩＤリスト（Group ID List）フィールド８４０のシグナリングオーバーヘッドは２８ビットである。グループＩＤ情報を格納するのに必要なメモリは２８ビットである。
【００９１】
（グループＩＤ更新手順）
グループＩＤ情報を格納するためのＷＵＲ  ＳＴＡのメモリ要件を最小にする目的で、ＡＰ１１０は、グループＩＤの割当てを最適化するために１つまたは複数のＷＵＲ  ＳＴＡグループにグループＩＤを再割当てする必要が生じうる。例えば、ＡＰ１１０のＢＳＳの中に、グループＩＤ＝２５７である第１のＷＵＲ  ＳＴＡグループと、グループＩＤ＝２７０である第２のＷＵＲ  ＳＴＡグループとが存在しており、第１のグループ内のＷＵＲ  ＳＴＡおよび第２のグループ内のＷＵＲ  ＳＴＡは、１６ビットのグループＩＤビットマップを格納することができる。いま、このＡＰ１１０のＢＳＳに、８ビットのグループＩＤビットマップを格納することのできる新しいＷＵＲ  ＳＴＡが加わった。ＡＰ１１０は、この新しいＷＵＲ  ＳＴＡを第１のグループと第２のグループの両方に属させるように意図している。グループＩＤ情報を格納するための新しいＷＵＲ  ＳＴＡのメモリ要件を最小にする目的で、ＡＰ１１０は、グループＩＤ更新手順を開始して、第１のグループのグループＩＤと、第２のグループの新しいグループＩＤの差が８未満であるように、第２のグループのグループＩＤを変更することができる（例えば第２のグループの新しいグループＩＤが２５８に変更される）。このようにすることによって、新しいＷＵＲ  ＳＴＡは、グループＩＤ情報を格納するのに、１つのグループＩＤおよび８ビットのグループＩＤビットマップを格納するのみでよい。
【００９２】
図２１Ａは、本開示に係る、第１のグループＩＤ更新手順２１００の例を示している。この手順２１００はステップ２１０２から始まる。ステップ２１０４において、ＡＰ１１０は、ＷＵＲモードにあるすべてのＷＵＲ  ＳＴＡに、ブロードキャストＷＵＲウェイクアップ（broadcast WUR Wake-up）フレームを送信する。各ＳＴＡのＷＵＲｘによってブロードキャストＷＵＲウェイクアップ（broadcast WUR Wake-up）フレームを受信した後、ＷＵＲモードにある各ＷＵＲ  ＳＴＡのＰＣＲが、アウェイク状態に遷移する。ステップ２１０６において、ＡＰ１１０は、すべてのＷＵＲ  ＳＴＡに、ブロードキャストアドレスを宛先とする（broadcast addressed）グループＩＤ更新（Group ID Update）フレームを送信する。各ＷＵＲ  ＳＴＡは、自身のＰＣＲによって、ブロードキャストアドレスを宛先とするグループＩＤ更新（Group ID Update）フレームを受信した後、更新されたグループＩＤ情報を格納する。ステップ２１１０において手順２１００が終了する。
【００９３】
図２１Ｂは、本開示に係る、第２のグループＩＤ更新手順２１５０の例を示している。この手順２１５０はステップ２１５２から始まる。ステップ２１５４において、ＡＰ１１０は、ＷＵＲモードにあるＷＵＲ  ＳＴＡのグループに、マルチキャストＷＵＲウェイクアップ（WUR Wake-up）フレームを送信する。各ＳＴＡのＷＵＲｘによってマルチキャストＷＵＲウェイクアップ（WUR Wake-up）フレームを受信した後、グループに属するＷＵＲモードにある各ＷＵＲ  ＳＴＡのＰＣＲが、アウェイク状態に遷移する。ステップ２１５６において、ＡＰ１１０は、このグループのグループＩＤを更新するため、ブロードキャストアドレスを宛先とするグループＩＤ更新（Group ID Update）フレームを送信する。グループに属す各ＷＵＲ  ＳＴＡは、自身のＰＣＲによって、ブロードキャストアドレスを宛先とするグループＩＤ更新（Group ID Update）フレームを受信した後、グループの、更新されたグループＩＤを格納する。ステップ２１６０において手順２１５０が終了する。
【００９４】
図２２は、本開示に係る、グループＩＤ更新（Group ID Update）フレーム２２００のフォーマットの例を示している。グループＩＤ更新（Group ID Update）フレーム２２００は、ＷＵＲアクション（WUR Action）フィールド２２２２が「グループＩＤ更新（Group ID Update）」に設定されたＷＵＲアクション（WUR Action）フレームである。グループＩＤ更新（Group ID Update）フレーム２２００のフレーム本体（Frame Body）フィールド２２２０は、グループＩＤステータスビットマップ（Group ID Status Bitmap）フィールド２２２４と、更新されたグループＩＤタプル（Updated Group ID Tuples）フィールド２２２６とを含む。グループＩＤステータスビットマップ（Group ID Status Bitmap）フィールド２２２４のビットＹ（Ｙ＝０，１，．．．，Ｌ−１、かつＬはグループＩＤステータスビットマップ（Group ID Status Bitmap）フィールド２２２４のサイズ）が１に設定されているとき、ＡＰ１１０によって提供することのできる最小グループＩＤとＹの合計に等しいグループＩＤのグループは、新しいグループＩＤを有する。１に設定されていない場合、Ｙに対応するグループＩＤのグループは、グループＩＤが変更されない。更新されたグループＩＤタプル（Updated Group ID Tuples）フィールド２２２６は、１つまたは複数の更新されたグループＩＤ（Updated Group ID）サブフィールドを含み、各サブフィールドは、グループＩＤが変更されたグループの新しいグループＩＤを含む。
【００９５】
（ＷＵＲ  ＰＰＤＵのフォーマットの例）
図２３は、本開示に係る、ＷＵＲ  ＰＰＤＵ  ２３００のフォーマットの例を示している。ＷＵＲ  ＰＰＤＵ  ２３００は、レガシープリアンブル２３０２と、ＢＰＳＫ（二位相偏移変調）マーク（BPSK Mark）フィールド２３０４と、ＷＵＲ同期（WUR Sync）フィールド２３０６と、ＷＵＲデータ（WUR Data）フィールド２３０８とを含む。レガシープリアンブル２３０２およびＢＰＳＫマーク（BPSK Mark）フィールド２３０４は、２０ＭＨｚの帯域幅で送信され、一方でＷＵＲ同期（WUR Sync）フィールド２３０６およびＷＵＲデータ（WUR Data）フィールド２３０８は、ずっと狭い帯域幅（例：４ＭＨｚ）で送信される。レガシープリアンブル２３０２およびＢＰＳＫマーク（BPSK Mark）フィールド２３０４は、チャネルアクセスの不必要な衝突を回避することにおいてサードパーティのＳＴＡを支援する。ＷＵＲ同期（WUR Sync）フィールド２３０６は、時刻同期およびパケット検出を実行するためにＷＵＲｘによって使用されるように意図されている。またＷＵＲ同期（WUR Sync）フィールド２３０６は、ＷＵＲデータ（WUR Data）フィールド２３０８のデータレートを示すためにも使用される。ＷＵＲデータ（WUR Data）フィールド２３０８は、ＷＵＲフレーム（例：ＷＵＲビーコン（WUR Beacon）フレームまたはＷＵＲウェイクアップ（WUR Wake-up）フレーム）を含む。
【００９６】
（ＷＵＲ装置の構造）
図２４Ａは、ＷＵＲ２４００の例の簡単なブロック図である。ＷＵＲ２４００は、図１に示したＳＴＡ１３０におけるＷＵＲ１３４またはＳＴＡ１４０におけるＷＵＲ１４４とすることができる。ＷＵＲ２４００は、受信機２４１０と、受信信号処理回路２４２０とを備えている。受信機２４１０は、ＷＵＲ信号を受信する役割を担い、受信信号処理回路２４２０は、受信したＷＵＲ信号を処理する役割を担う。
【００９７】
図２４Ｂは、ＷＵＲ２４００の例の詳細なブロック図である。ＷＵＲ２４００は、制御回路２４３０と、ＷＵＲメモリ２４６０と、クロック発振器２４５０によって駆動されるＷＵＲ  ＴＳＦタイマー２４４０とをさらに備えている。制御回路２４３０は、一般的なＭＡＣプロトコル動作を制御するために使用される。特に、制御回路２４３０は、受信された部分ＴＳＦに従ってＷＵＲ  ＴＳＦタイマー２４４０を設定するために使用される。ＷＵＲ２４００の受信機２４１０は、物理層処理回路２４１２を備えており、物理層処理回路２４１２は、アンテナを通じて受信されたＷＵＲ  ＰＰＤＵをＷＵＲフレームに変換する役割を担う。ＷＵＲ２４００の受信信号処理回路２４２０は、メッセージ処理回路２４２２を備えており、メッセージ処理回路２４２２は、受け取ったＷＵＲフレームを制御回路２４３０の制御下で処理し、対応するＷＵＲフレーム情報を制御回路２４３０に渡す役割を担う。例えば、メッセージ処理回路２４２２は、受け取ったＷＵＲビーコン（WUR Beacon）フレームそれぞれから部分ＴＳＦを取り出すために使用される。受け取ったＷＵＲフレームは、本開示のさまざまな実施形態に従って構成されている。ＷＵＲメモリ２４６０は、特にＷＵＲ  ＳＴＡがＷＵＲモードサスペンドで動作しているときに、ＷＵＲ２４００を含むＷＵＲ  ＳＴＡ（例：１３０または１４０）とＡＰ１１０との間で交渉されたＷＵＲパラメータ（例：グループＩＤ情報）を格納する役割を担う。
【００９８】
ＷＵＲ２４００は、簡潔さを目的として図２４Ａおよび図２４Ｂには示していない、多数の別の構成要素を備えていることができる。本開示に最も関連する構成要素のみを示してある。
【００９９】
（ＰＣＲ装置の構造）
図２５Ａは、標準ＩＥＥＥ  ８０２．１１信号を送信および受信することのできるＰＣＲ２５００の例の簡単なブロック図である。ＰＣＲ２５００は、図１に示したＡＰ１１０におけるＰＣＲ１１２、ＳＴＡ１３０におけるＰＣＲ１３２、またはＳＴＡ１４０におけるＰＣＲ１４２とすることができる。特に、ＡＰ１１０におけるＰＣＲ１１２は、ＷＵＲ信号を送信することもできる。ＰＣＲ２５００は、送信信号生成回路２５１０と、送受信機２５２０と、受信信号処理回路２５３０とを備えている。送信信号生成回路２５１０は、標準ＩＥＥＥ  ８０２．１１信号およびＷＵＲ信号（該当する場合）を生成する役割を担い、送受信機２５２０は、生成された標準ＩＥＥＥ  ８０２．１１信号およびＷＵＲ信号（該当する場合）を送信する役割と、標準ＩＥＥＥ  ８０２．１１信号を受信する役割を担い、受信信号処理回路２５３０は、受信された標準ＩＥＥＥ  ８０２．１１信号を処理する役割を担う。
【０１００】
図２５Ｂは、ＰＣＲ２５００の例の詳細なブロック図である。ＰＣＲ２５００は、制御回路２５４０と、クロック発振器２５６０によって駆動されるＰＣＲ  ＴＳＦタイマー２５５０とをさらに備えている。制御回路２５４０は、一般的なＭＡＣプロトコル動作を制御するために使用される。送信信号生成回路２５１０は、メッセージ生成回路２５１２を備えており、メッセージ生成回路２５１２は、本開示のさまざまな実施形態に従って、ＭＡＣフレーム（例：ビーコン（Beacon）フレーム、プローブ要求／応答（Probe Request/Response）フレーム、アソシエーション要求／応答（Association Request/Response）フレーム、ＷＵＲアクション（WUR Action）フレーム、ＷＵＲフレーム）を、制御回路２５４０の制御下で生成する役割を担う。送受信機２５２０は、物理層処理回路２５２２を備えており、物理層処理回路２５２２は、生成されたＭＡＣフレームから、ＷＵＲ  ＰＰＤＵを含むＰＰＤＵを作成し、それらをアンテナを通じて送信する役割と、アンテナを通じて受信されたＰＰＤＵからＷＵＲ  ＰＰＤＵを取り除いてＭＡＣフレームに変換する役割を担う。受信信号処理回路２５３０は、メッセージ処理回路２５３２を備えており、メッセージ処理回路２５３２は、受け取ったＭＡＣフレームを制御回路２５４０の制御下で処理する（例：ＭＡＣヘッダの解析など）役割と、対応するＭＡＣ情報を制御回路２５４０に渡す役割を担う。
【０１０１】
本開示によれば、ＰＣＲ２５００は、ＡＰ１１０において使用されるときにはＷＵＲメモリ２５７０をさらに備えており、ＷＵＲメモリ２５７０は、特にＷＵＲ  ＳＴＡがＷＵＲモードサスペンドで動作しているときに、ＷＵＲ  ＳＴＡ（例：１３０または１４０）とＡＰ１１０との間で交渉されたＷＵＲパラメータを格納する役割を担う。
【０１０２】
ＰＣＲ２５００は、簡潔さを目的として図２５Ａおよび図２５Ｂには示していない、多数の別の構成要素を備えていることができる。本開示に最も関連する構成要素のみを示してある。
【０１０３】
本開示は、ソフトウェアによって、ハードウェアによって、またはハードウェアと協働するソフトウェアによって、実施することができる。上に記載した各実施形態の説明において使用される各機能ブロックは、その一部または全体を、集積回路などのＬＳＩによって実施することができ、各実施形態の中で説明した各プロセスは、その一部または全体を、同じＬＳＩまたはＬＳＩの組合せによって制御することができる。ＬＳＩはチップとして個別に形成することができ、または、機能ブロックの一部またはすべてが含まれるように１個のチップを形成することができる。ＬＳＩは、自身に結合されているデータ入出力部を含むことができる。ＬＳＩは、本明細書においては、集積度の違いに応じて、ＩＣ、システムＬＳＩ、スーパーＬＳＩ、またはウルトラＬＳＩと称される。しかしながら、集積回路を実施する技術は、ＬＳＩに限定されず、専用回路、汎用プロセッサ、または専用プロセッサを使用することによって実現されていてもよい。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブルプロセッサを使用してもよい。本開示は、半導体技術または別の派生技術が進歩する結果としてのデジタル処理またはアナログ処理として、実施することができる。
【０１０４】
半導体技術、または半導体技術から派生する別の技術の進歩の結果として、ＬＳＩに代わる回路集積化技術が登場した場合、その将来的な回路集積化技術を使用して機能ブロックを集積化することができる。別の可能性として、バイオテクノロジおよび／またはその他の技術を適用することができる。
【０１０５】
特願２０１８−０７８２３２（出願日：２０１８年４月１６日）の開示内容（明細書、図面、および要約書を含む）は、その全体が参照により本明細書に組み込まれている。
【産業上の利用可能性】
【０１０６】
本開示は、無線ネットワークにおいてＷＵＲモードで動作する装置および方法に適用することができる。
【符号の説明】
【０１０７】
１１０  ＡＰ
１３０、１４０  ＳＴＡ
１１２、１３２、１４２、２５００  ＰＣＲ
１３４、１４４、２４００  ＷＵＲ
２４１０  受信機
２４１２、２５２２  物理層処理回路
２４２０、２５３０  受信信号処理回路
２４２２、２５３２  メッセージ処理回路
２４３０、２５４０  制御回路
２４４０  ＷＵＲ  ＴＳＦタイマー
２４５０、２５６０  クロック発振器
２５１０  送信信号生成回路
２５１２  メッセージ生成回路
２５２０  送受信機
２５５０  ＰＣＲ  ＴＳＦタイマー
２４６０、２５７０  ＷＵＲメモリ
【図１】
2021520118.tif 000003
【図２】
2021520118.tif 000004
【図３Ａ】
2021520118.tif 000005
【図３Ｂ】
2021520118.tif 000006
【図４】
2021520118.tif 000007
【図５】
2021520118.tif 000008
【図６】
2021520118.tif 000009
【図７】
2021520118.tif 000010
【図８Ａ】
2021520118.tif 000011
【図８Ｂ】
2021520118.tif 000012
【図９】
2021520118.tif 000013
【図１０】
2021520118.tif 000014
【図１１】
2021520118.tif 000015
【図１２】
2021520118.tif 000016
【図１３】
2021520118.tif 000017
【図１４Ａ】
2021520118.tif 000018
【図１４Ｂ】
2021520118.tif 000019
【図１５】
2021520118.tif 000020
【図１６】
2021520118.tif 000021
【図１７】
2021520118.tif 000022
【図１８】
2021520118.tif 000023
【図１９】
2021520118.tif 000024
【図２０】
2021520118.tif 000025
【図２１Ａ】
2021520118.tif 000026
【図２１Ｂ】
2021520118.tif 000027
【図２２】
2021520118.tif 000028
【図２３】
2021520118.tif 000029
【図２４Ａ】
2021520118.tif 000030
【図２４Ｂ】
2021520118.tif 000031
【図２５Ａ】
2021520118.tif 000032
【図２５Ｂ】
2021520118.tif 000033
【国際調査報告】
2021520118.tif 000034
2021520118.tif 000035